(57)【要約】  高精細度化された大画面のプラズマディスプレイパネルであっても、消費電力の増大を抑制して安定した放電を発生する。そのために、走査電極および維持電極からなる表示電極対とデータ電極とを有する放電セルを複数備えたプラズマディスプレイパネルを、所定の負の電圧に向かって下降する下り傾斜波形電圧を走査電極に印加する初期化期間と、書込み期間と、維持期間とを有する複数のサブフィールドで１フィールドを構成して駆動するプラズマディスプレイパネルの駆動方法において、初期化期間では、下り傾斜波形電圧を走査電極に印加する前に走査電極をハイインピーダンス状態にするとともに、維持電極に高電位から低電位に変化する電圧波形を印加することで走査電極の電位を低下させ、低下した後の電位を下り傾斜波形電圧の開始電圧とする。
2012102029.tif 000002
【特許請求の範囲】
【請求項１】
走査電極および維持電極からなる表示電極対とデータ電極とを有する放電セルを複数備えたプラズマディスプレイパネルを、所定の負の電圧に向かって下降する下り傾斜波形電圧を前記走査電極に印加する初期化期間と、書込み期間と、維持期間とを有する複数のサブフィールドで１フィールドを構成して駆動するプラズマディスプレイパネルの駆動方法であって、
前記初期化期間において、
前記下り傾斜波形電圧を前記走査電極に印加する前に、前記走査電極をハイインピーダンス状態にするとともに、前記維持電極に高電位から低電位に変化する電圧波形を印加することで前記走査電極の電位を低下させ、
前記低下した後の電位を前記下り傾斜波形電圧の開始電圧とする
ことを特徴とするプラズマディスプレイパネルの駆動方法。
【請求項２】
走査電極および維持電極からなる表示電極対とデータ電極とを有する放電セルを複数備えたプラズマディスプレイパネルを、所定の負の電圧に向かって下降する下り傾斜波形電圧を前記走査電極に印加する初期化期間と、書込み期間と、維持期間とを有する複数のサブフィールドで１フィールドを構成して駆動するプラズマディスプレイパネルの駆動方法であって、
前記初期化期間において、
前記下り傾斜波形電圧を前記走査電極に印加する前に、前記走査電極をハイインピーダンス状態にするとともに、前記データ電極に高電位から低電位に変化する電圧波形を印加することで前記走査電極の電位を低下させ、
前記低下した後の電位を前記下り傾斜波形電圧の開始電圧とする
ことを特徴とするプラズマディスプレイパネルの駆動方法。
【請求項３】
走査電極および維持電極からなる表示電極対とデータ電極とを有する放電セルを複数備えたプラズマディスプレイパネルを、書込み期間と、維持期間と、所定の負の電圧に向かって下降する下り傾斜波形電圧を前記走査電極に印加する消去期間とを有する複数のサブフィールドで１フィールドを構成して駆動するプラズマディスプレイパネルの駆動方法であって、
前記消去期間において、
前記下り傾斜波形電圧を前記走査電極に印加する前に、前記走査電極をハイインピーダンス状態にするとともに、前記維持電極に高電位から低電位に変化する電圧波形を印加することで前記走査電極の電位を低下させ、
前記低下した後の電位を前記下り傾斜波形電圧の開始電圧とする
ことを特徴とするプラズマディスプレイパネルの駆動方法。
【請求項４】
走査電極および維持電極からなる表示電極対とデータ電極とを有する放電セルを複数備えたプラズマディスプレイパネルを、書込み期間と、維持期間と、所定の負の電圧に向かって下降する下り傾斜波形電圧を前記走査電極に印加する消去期間とを有する複数のサブフィールドで１フィールドを構成して駆動するプラズマディスプレイパネルの駆動方法であって、
前記消去期間において、
前記下り傾斜波形電圧を前記走査電極に印加する前に、前記走査電極をハイインピーダンス状態にするとともに、前記データ電極に高電位から低電位に変化する電圧波形を印加することで前記走査電極の電位を低下させ、
前記低下した後の電位を前記下り傾斜波形電圧の開始電圧とする
ことを特徴とするプラズマディスプレイパネルの駆動方法。
【請求項５】
走査電極および維持電極からなる表示電極対とデータ電極とを有する放電セルを複数備えたプラズマディスプレイパネルと、
所定の負の電圧に向かって下降する下り傾斜波形電圧を前記走査電極に印加する初期化期間と、書込み期間と、維持期間とを有する複数のサブフィールドで１フィールドを構成して前記プラズマディスプレイパネルを駆動する駆動回路とを備えたプラズマディスプレイ装置であって、
前記駆動回路は、
前記初期化期間において、
前記下り傾斜波形電圧を前記走査電極に印加する前に、前記走査電極をハイインピーダンス状態にするとともに、前記維持電極に高電位から低電位に変化する電圧波形を印加することで前記走査電極の電位を低下させ、
前記低下した後の電位を前記下り傾斜波形電圧の開始電圧とする
ことを特徴とするプラズマディスプレイ装置。
【請求項６】
走査電極および維持電極からなる表示電極対とデータ電極とを有する放電セルを複数備えたプラズマディスプレイパネルと、
所定の負の電圧に向かって下降する下り傾斜波形電圧を前記走査電極に印加する初期化期間と、書込み期間と、維持期間とを有する複数のサブフィールドで１フィールドを構成して前記プラズマディスプレイパネルを駆動する駆動回路とを備えたプラズマディスプレイ装置であって、
前記駆動回路は、
前記初期化期間において、
前記下り傾斜波形電圧を前記走査電極に印加する前に、前記走査電極をハイインピーダンス状態にするとともに、前記データ電極に高電位から低電位に変化する電圧波形を印加することで前記走査電極の電位を低下させ、
前記低下した後の電位を前記下り傾斜波形電圧の開始電圧とする
ことを特徴とするプラズマディスプレイ装置。
【請求項７】
走査電極および維持電極からなる表示電極対とデータ電極とを有する放電セルを複数備えたプラズマディスプレイパネルと、
書込み期間と、維持期間と、所定の負の電圧に向かって下降する下り傾斜波形電圧を前記走査電極に印加する消去期間とを有する複数のサブフィールドで１フィールドを構成して前記プラズマディスプレイパネルを駆動する駆動回路とを備えたプラズマディスプレイ装置であって、
前記駆動回路は、
前記初期化期間において、
前記下り傾斜波形電圧を前記走査電極に印加する前に、前記走査電極をハイインピーダンス状態にするとともに、前記維持電極に高電位から低電位に変化する電圧波形を印加することで前記走査電極の電位を低下させ、
前記低下した後の電位を前記下り傾斜波形電圧の開始電圧とする
ことを特徴とするプラズマディスプレイ装置。
【請求項８】
走査電極および維持電極からなる表示電極対とデータ電極とを有する放電セルを複数備えたプラズマディスプレイパネルと、
書込み期間と、維持期間と、所定の負の電圧に向かって下降する下り傾斜波形電圧を前記走査電極に印加する消去期間とを有する複数のサブフィールドで１フィールドを構成して前記プラズマディスプレイパネルを駆動する駆動回路とを備えたプラズマディスプレイ装置であって、
前記駆動回路は、
前記初期化期間において、
前記下り傾斜波形電圧を前記走査電極に印加する前に、前記走査電極をハイインピーダンス状態にするとともに、前記データ電極に高電位から低電位に変化する電圧波形を印加することで前記走査電極の電位を低下させ、
前記低下した後の電位を前記下り傾斜波形電圧の開始電圧とする
ことを特徴とするプラズマディスプレイ装置。
【発明の詳細な説明】
【技術分野】
【０００１】
本発明は、交流面放電型のプラズマディスプレイパネルを用いたプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。【０００３】
前面基板は、１対の走査電極と維持電極とからなる表示電極対が前面側のガラス基板上に互いに平行に複数対形成されている。そして、それら表示電極対を覆うように誘電体層および保護層が形成されている。【０００４】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００５】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００６】
放電セルにおける発光と非発光との２値制御を組み合わせてパネルの画像表示領域に画像を表示する方法としては一般にサブフィールド法が用いられている。【０００７】
サブフィールド法では、１フィールドを、発光輝度が互いに異なる複数のサブフィールドに分割する。そして、各放電セルでは、所望の階調値に応じた組合せで各サブフィールドの発光・非発光を制御する。これにより１フィールドの発光輝度を所望の階調値にして各放電セルを発光し、パネルの画像表示領域に、様々な階調値の組合せで構成された画像を表示する。【０００８】
サブフィールド法において、各サブフィールドは、初期化期間、書込み期間および維持期間を有する。【０００９】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【００１０】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【００１１】
維持期間では、サブフィールド毎に定められた階調重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各サブフィールドにおいて、各放電セルを、階調重みに応じた輝度で発光させる。このようにして、パネルの各放電セルを画像信号の階調値に応じた輝度で発光させて、パネルの画像表示領域に画像を表示する。【００１２】
消費電力を削減するために、維持期間に表示電極対に印加する維持パルスを、電力回収回路を用いて発生する技術が開示されている（例えば、特許文献１参照）。電力回収回路は、電力回収回路に備えられたインダクタと、表示電極対の電極間容量とを共振させて、電極間容量に蓄積された電力を電力回収用のコンデンサに回収する。表示電極対に維持パルスを印加する際には、上述のインダクタと電極間容量と共振により、電力回収用のコンデンサに蓄えられた電力を再利用する。【００１３】
また、上述の駆動方法においては、初期化期間に弱い初期化放電を発生する。そのために、緩やかに上昇または下降する傾斜波形電圧を発生し、表示電極対の一方または両方に印加する必要がある。【００１４】
そして、この傾斜波形電圧を安定して発生するために、ミラー積分回路が主に用いられている（例えば、特許文献２および特許文献３参照）。【００１５】
しかし、振幅の大きい傾斜波形電圧を発生するために高い電圧をミラー積分回路に印加すると、ミラー積分回路の消費電力が大きくなるという課題がある。【００１６】
また、ミラー積分回路は半導体素子を能動領域で使用する。そのため、消費電力の大きいミラー積分回路において、半導体素子を並列に接続し、消費電力を複数の半導体素子に分散して、個々の半導体素子における消費電力を低減するためには、特性が互いに完全に一致した半導体素子を使用する必要がある。そのため、消費電力の大きいミラー積分回路では、ミラー積分回路の構成に使用できる半導体素子は限定される。【００１７】
また、消費電力の大きいミラー積分回路は発熱量も大きい。そのため、ミラー積分回路に発生した熱を放熱するのに大きな放熱板が必要となる。このように、消費電力の大きいミラー積分回路は、放熱のための設計も難しい。【００１８】
そして、高精細度化された大画面のパネルを用いたプラズマディスプレイ装置では、パネルを駆動する際の消費電力が増加するため、傾斜波形電圧を発生させる際の消費電力も相対的に増加し、放熱のための設計もより難しくなる。
【先行技術文献】
【特許文献】
【００１９】
【特許文献１】特開平１１−１３３９１４号公報
【特許文献２】特開２０１０−１６０２２６号公報
【特許文献３】特開２０１０−１６０２２７号公報
【発明の概要】
【００２０】
本発明は、走査電極および維持電極からなる表示電極対とデータ電極とを有する放電セルを複数備えたパネルを、所定の負の電圧に向かって下降する下り傾斜波形電圧を走査電極に印加する初期化期間と、書込み期間と、維持期間とを有する複数のサブフィールドで１フィールドを構成して駆動するパネルの駆動方法である。この駆動方法では、初期化期間において、下り傾斜波形電圧を走査電極に印加する前に、走査電極をハイインピーダンス状態にするとともに、維持電極に高電位から低電位に変化する電圧波形を印加することで走査電極の電位を低下させ、低下した後の電位を下り傾斜波形電圧の開始電圧とする。
【００２１】
これにより、高精細度化された大画面のパネルであっても、消費電力の増大を抑制して安定した放電を発生することが可能となる。
【００２２】
また、本発明は、走査電極および維持電極からなる表示電極対とデータ電極とを有する放電セルを複数備えたパネルを、所定の負の電圧に向かって下降する下り傾斜波形電圧を走査電極に印加する初期化期間と、書込み期間と、維持期間とを有する複数のサブフィールドで１フィールドを構成して駆動するパネルの駆動方法である。この駆動方法では、初期化期間において、下り傾斜波形電圧を走査電極に印加する前に、走査電極をハイインピーダンス状態にするとともに、データ電極に高電位から低電位に変化する電圧波形を印加することで走査電極の電位を低下させ、低下した後の電位を下り傾斜波形電圧の開始電圧とする。
【００２３】
これにより、高精細度化された大画面のパネルであっても、消費電力の増大を抑制して安定した放電を発生することが可能となる。
【００２４】
また、本発明は、走査電極および維持電極からなる表示電極対とデータ電極とを有する放電セルを複数備えたパネルを、書込み期間と、維持期間と、所定の負の電圧に向かって下降する下り傾斜波形電圧を走査電極に印加する消去期間とを有する複数のサブフィールドで１フィールドを構成して駆動するパネルの駆動方法である。この駆動方法では、消去期間において、下り傾斜波形電圧を走査電極に印加する前に、走査電極をハイインピーダンス状態にするとともに、維持電極に高電位から低電位に変化する電圧波形を印加することで走査電極の電位を低下させ、低下した後の電位を下り傾斜波形電圧の開始電圧とする。
【００２５】
これにより、高精細度化された大画面のパネルであっても、消費電力の増大を抑制して安定した放電を発生することが可能となる。
【００２６】
また、本発明は、走査電極および維持電極からなる表示電極対とデータ電極とを有する放電セルを複数備えたパネルを、書込み期間と、維持期間と、所定の負の電圧に向かって下降する下り傾斜波形電圧を走査電極に印加する消去期間とを有する複数のサブフィールドで１フィールドを構成して駆動するパネルの駆動方法である。この駆動方法では、消去期間において、下り傾斜波形電圧を走査電極に印加する前に、走査電極をハイインピーダンス状態にするとともに、データ電極に高電位から低電位に変化する電圧波形を印加することで走査電極の電位を低下させ、低下した後の電位を下り傾斜波形電圧の開始電圧とする。
【００２７】
これにより、高精細度化された大画面のパネルであっても、消費電力の増大を抑制して安定した放電を発生することが可能となる。
【００２８】
また、本発明は、走査電極および維持電極からなる表示電極対とデータ電極とを有する放電セルを複数備えたパネルと、所定の負の電圧に向かって下降する下り傾斜波形電圧を走査電極に印加する初期化期間と、書込み期間と、維持期間とを有する複数のサブフィールドで１フィールドを構成してパネルを駆動する駆動回路とを備えたプラズマディスプレイ装置である。このプラズマディスプレイ装置の駆動回路は、初期化期間において、下り傾斜波形電圧を走査電極に印加する前に、走査電極をハイインピーダンス状態にするとともに、維持電極に高電位から低電位に変化する電圧波形を印加することで走査電極の電位を低下させ、低下した後の電位を下り傾斜波形電圧の開始電圧とする。
【００２９】
これにより、高精細度化された大画面のパネルであっても、消費電力の増大を抑制して安定した放電を発生することが可能となる。
【００３０】
また、本発明は、走査電極および維持電極からなる表示電極対とデータ電極とを有する放電セルを複数備えたパネルと、所定の負の電圧に向かって下降する下り傾斜波形電圧を走査電極に印加する初期化期間と、書込み期間と、維持期間とを有する複数のサブフィールドで１フィールドを構成してパネルを駆動する駆動回路とを備えたプラズマディスプレイ装置である。このプラズマディスプレイ装置の駆動回路は、初期化期間において、下り傾斜波形電圧を走査電極に印加する前に、走査電極をハイインピーダンス状態にするとともに、データ電極に高電位から低電位に変化する電圧波形を印加することで走査電極の電位を低下させ、低下した後の電位を下り傾斜波形電圧の開始電圧とする。
【００３１】
これにより、高精細度化された大画面のパネルであっても、消費電力の増大を抑制して安定した放電を発生することが可能となる。
【００３２】
また、本発明は、走査電極および維持電極からなる表示電極対とデータ電極とを有する放電セルを複数備えたパネルと、書込み期間と、維持期間と、所定の負の電圧に向かって下降する下り傾斜波形電圧を走査電極に印加する消去期間とを有する複数のサブフィールドで１フィールドを構成してパネルを駆動する駆動回路とを備えたプラズマディスプレイ装置である。このプラズマディスプレイ装置の駆動回路は、初期化期間において、下り傾斜波形電圧を走査電極に印加する前に、走査電極をハイインピーダンス状態にするとともに、維持電極に高電位から低電位に変化する電圧波形を印加することで走査電極の電位を低下させ、低下した後の電位を下り傾斜波形電圧の開始電圧とする。
【００３３】
これにより、高精細度化された大画面のパネルであっても、消費電力の増大を抑制して安定した放電を発生することが可能となる。
【００３４】
また、本発明は、走査電極および維持電極からなる表示電極対とデータ電極とを有する放電セルを複数備えたパネルと、書込み期間と、維持期間と、所定の負の電圧に向かって下降する下り傾斜波形電圧を走査電極に印加する消去期間とを有する複数のサブフィールドで１フィールドを構成してパネルを駆動する駆動回路とを備えたプラズマディスプレイ装置である。このプラズマディスプレイ装置の駆動回路は、初期化期間において、下り傾斜波形電圧を走査電極に印加する前に、走査電極をハイインピーダンス状態にするとともに、データ電極に高電位から低電位に変化する電圧波形を印加することで走査電極の電位を低下させ、低下した後の電位を下り傾斜波形電圧の開始電圧とする。
【００３５】
これにより、高精細度化された大画面のパネルであっても、消費電力の増大を抑制して安定した放電を発生することが可能となる。
【図面の簡単な説明】
【００３６】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置に用いるパネルの各電極に印加する駆動電圧波形の一例を概略的に示す図である。
【図４】図４は、本発明の実施の形態１におけるプラズマディスプレイ装置を構成する回路ブロックの一例を概略的に示す図である。
【図５】図５は、本発明の実施の形態１におけるプラズマディスプレイ装置の駆動回路の一例を概略的に示す図である。
【図６】図６は、本発明の実施の形態１におけるプラズマディスプレイ装置の初期化期間における駆動回路の動作を説明するためのタイミングチャートである。
【図７】図７は、本発明の実施の形態２におけるプラズマディスプレイ装置に用いるパネルの各電極に印加する駆動電圧波形の一例を概略的に示す図である。
【図８】図８は、本発明の実施の形態２におけるプラズマディスプレイ装置に用いるパネルの各電極に印加する駆動電圧波形の他の一例を概略的に示す図である。
【図９】図９は、本発明の実施の形態２におけるプラズマディスプレイ装置の初期化期間における駆動回路の動作を説明するためのタイミングチャートである。
【図１０】図１０は、本発明の実施の形態３におけるプラズマディスプレイ装置の消去期間および初期化期間における駆動回路の動作を説明するためのタイミングチャートである。
【図１１】図１１は、本発明の実施の形態４におけるプラズマディスプレイ装置の消去期間および初期化期間における駆動回路の動作を説明するためのタイミングチャートである。
【発明を実施するための形態】
【００３７】
以下、本発明の実施の形態におけるプラズマディスプレイ装置について、図面を用いて説明する。
【００３８】
（実施の形態１）
図１は、本発明の実施の形態１におけるプラズマディスプレイ装置に用いるパネル１０の構造を示す分解斜視図である。
【００３９】
ガラス製の前面基板１１上には、走査電極１２と維持電極１３とからなる表示電極対１４が複数形成されている。そして、走査電極１２と維持電極１３とを覆うように誘電体層１５が形成され、その誘電体層１５上に保護層１６が形成されている。
【００４０】
この保護層１６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００４１】
保護層１６は、一つの層で構成されていてもよく、あるいは複数の層で構成されていてもよい。また、層の上に粒子が存在する構成であってもよい。
【００４２】
背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色（Ｒ）に発光する蛍光体層２５Ｒ、緑色（Ｇ）に発光する蛍光体層２５Ｇ、および青色（Ｂ）に発光する蛍光体層２５Ｂが設けられている。以下、蛍光体層２５Ｒ、蛍光体層２５Ｇ、蛍光体層２５Ｂをまとめて蛍光体層２５とも記す。
【００４３】
これら前面基板１１と背面基板２１とを、微小な空間を挟んで表示電極対１４とデータ電極２２とが交差するように対向配置し、前面基板１１と背面基板２１との間隙に放電空間を設ける。そして、その外周部をガラスフリット等の封着材によって封着する。その放電空間には、例えばネオンとキセノンの混合ガスを放電ガスとして封入する。
【００４４】
放電空間は隔壁２４によって複数の区画に仕切られており、表示電極対１４とデータ電極２２とが交差する部分に、画素を構成する放電セルが形成される。
【００４５】
そして、これらの放電セルで放電を発生し、放電セルの蛍光体層２５を発光（放電セルを点灯）することにより、パネル１０にカラーの画像を表示する。
【００４６】
なお、パネル１０においては、表示電極対１４が延伸する方向に配列された連続する３つの放電セルで１つの画素を構成する。この３つの放電セルとは、蛍光体層２５Ｒを有し赤色（Ｒ）に発光する放電セル（赤の放電セル）と、蛍光体層２５Ｇを有し緑色（Ｇ）に発光する放電セル（緑の放電セル）と、蛍光体層２５Ｂを有し青色（Ｂ）に発光する放電セル（青の放電セル）である。
【００４７】
なお、パネル１０の構造は上述したものに限られるわけではなく、例えばストライプ状の隔壁を備えたものであってもよい。
【００４８】
図２は、本発明の実施の形態１におけるプラズマディスプレイ装置に用いるパネル１０の電極配列図である。
【００４９】
パネル１０には、水平方向（行方向、ライン方向）に延長されたｎ本の走査電極ＳＣ１〜走査電極ＳＣｎ（図１の走査電極１２）およびｎ本の維持電極ＳＵ１〜維持電極ＳＵｎ（図１の維持電極１３）が配列され、垂直方向（列方向）に延長されたｍ本のデータ電極Ｄ１〜データ電極Ｄｍ（図１のデータ電極２２）が配列されている。
【００５０】
そして、１対の走査電極ＳＣｉ（ｉ＝１〜ｎ）および維持電極ＳＵｉと１つのデータ電極Ｄｊ（ｊ＝１〜ｍ）とが交差した領域に放電セルが１つ形成される。すなわち、１対の表示電極対１４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００５１】
なお、図１、図２に示したように、パネル１０において、走査電極ＳＣ１〜走査電極ＳＣｎと維持電極ＳＵ１〜維持電極ＳＵｎとは互いに平行に設けられている。そのため、走査電極ＳＣ１〜走査電極ＳＣｎと維持電極ＳＵ１〜維持電極ＳＵｎとの間には、大きな電極間容量Ｃｐが存在する。
【００５２】
また、図１、図２に示したように、パネル１０において、走査電極ＳＣ１〜走査電極ＳＣｎとデータ電極Ｄ１〜データ電極Ｄｍとは放電空間を挟んで交差している。同様に、維持電極ＳＵ１〜維持電極ＳＵｎとデータ電極Ｄ１〜データ電極Ｄｍとは放電空間を挟んで交差している。そのため、走査電極ＳＣ１〜走査電極ＳＣｎとデータ電極Ｄ１〜データ電極Ｄｍとの間には、電極間容量Ｃｐｄが存在し、維持電極ＳＵ１〜維持電極ＳＵｎとデータ電極Ｄ１〜データ電極Ｄｍとの間にも、電極間容量Ｃｐｄが存在する。
【００５３】
そのため、走査電極駆動回路から見たときに、走査電極ＳＣ１〜走査電極ＳＣｎは容量性の負荷となる。同様に、維持電極駆動回路から見たときに、維持電極ＳＵ１〜維持電極ＳＵｎは容量性の負荷となる。
【００５４】
次に、パネル１０を駆動するための駆動電圧波形とその動作の概要について説明する。
【００５５】
本実施の形態におけるプラズマディスプレイ装置は、サブフィールド法によってパネル１０を駆動する。サブフィールド法では、画像信号の１フィールドを時間軸上で複数のサブフィールドに分割し、各サブフィールドに階調重みをそれぞれ設定する。したがって、各フィールドは階調重みが異なる複数のサブフィールドを有する。
【００５６】
それぞれのサブフィールドは初期化期間、書込み期間、維持期間および消去期間を有する。そして、画像信号にもとづき、サブフィールド毎に各放電セルの発光・非発光を制御する。すなわち、画像信号にもとづき、発光するサブフィールドと非発光のサブフィールドとを組み合わせることによって、画像信号にもとづく複数の階調をパネル１０に表示する。
【００５７】
初期化期間では、放電セルに初期化放電を発生し、続く書込み期間における書込み放電に必要な壁電荷を各電極上に形成する初期化動作を行う。
【００５８】
初期化動作には、直前のサブフィールドの動作にかかわらず全ての放電セルに強制的に初期化放電を発生する「強制初期化動作」と、直前のサブフィールドの書込み期間で書込み放電を発生した放電セルだけに選択的に初期化放電を発生する「選択初期化動作」とがある。強制初期化動作では、上昇する傾斜波形電圧および下降する傾斜波形電圧を走査電極１２に印加して、放電セルに初期化放電を発生する。選択初期化動作では、下降する傾斜波形電圧を走査電極１２に印加して、放電セルに選択的に初期化放電を発生する。
【００５９】
なお、本実施の形態では、１フィールドを構成する複数のサブフィールドのうち、１つのサブフィールドの初期化期間では全ての放電セルで強制初期化動作を行い、他のサブフィールドの初期化期間では全ての放電セルで選択初期化動作を行う構成を説明する。しかし、本発明はこの構成に限定されるものではない。例えば、複数のフィールドに１回だけ強制初期化動作を行う構成であってもよい。あるいは、複数のサブフィールドに１つだけ初期化期間を有するサブフィールドを設ける構成や、複数のフィールドに１つだけ初期化期間を有するサブフィールドを設ける構成であってもよい。
【００６０】
以下、強制初期化動作を行う初期化期間を「強制初期化期間」と呼称し、強制初期化期間を有するサブフィールドを「強制初期化サブフィールド」と呼称する。また、選択初期化動作を行う初期化期間を「選択初期化期間」と呼称し、選択初期化期間を有するサブフィールドを「選択初期化サブフィールド」と呼称する。
【００６１】
なお、本実施の形態では、サブフィールドＳＦ１を強制初期化サブフィールドとし、他のサブフィールド（サブフィールドＳＦ２以降のサブフィールド）を選択初期化サブフィールドとする。しかし、本発明は、強制初期化サブフィールドとするサブフィールドおよび選択初期化サブフィールドとするサブフィールドが何ら上述したサブフィールドに限定されるものではない。また、画像信号等にもとづいてサブフィールド構成を切り換える構成であってもよい。
【００６２】
書込み期間では、走査電極１２に走査パルスを印加するとともにデータ電極２２に選択的に書込みパルスを印加し、発光するべき放電セルに選択的に書込み放電を発生する。そして、続く維持期間で維持放電を発生するための壁電荷をその放電セル内に形成する書込み動作を行う。
【００６３】
維持期間では、それぞれのサブフィールドに設定された階調重みに所定の比例定数を乗じた数の維持パルスを走査電極１２および維持電極１３に交互に印加し、直前の書込み期間に書込み放電を発生した放電セルで維持放電を発生し、その放電セルを発光する維持動作を行う。この比例定数が輝度倍数である。
【００６４】
階調重みとは、各サブフィールドで表示する輝度の大きさの比を表すものであり、各サブフィールドでは階調重みに応じた数の維持パルスを維持期間に発生する。そのため、例えば、階調重み「８」のサブフィールドは、階調重み「１」のサブフィールドの約８倍の輝度で発光し、階調重み「２」のサブフィールドの約４倍の輝度で発光する。したがって、例えば、階調重み「８」のサブフィールドと階調重み「２」のサブフィールドを発光すれば、階調値「１０」に相当する輝度で放電セルを発光することができる。
【００６５】
こうして、画像信号に応じた組合せでサブフィールド毎に各放電セルの発光・非発光を制御して各サブフィールドを選択的に発光することにより、様々な階調値で各放電セルを発光する。すなわち、各放電セルに画像信号に応じた階調値を表示し、画像信号にもとづく画像をパネル１０に表示することができる。
【００６６】
消去期間では、上昇する傾斜波形電圧を走査電極１２に印加して、直前の維持期間に維持放電を発生した放電セルに微弱放電を発生する。これにより、維持放電を発生した放電セル内の壁電荷を調整し、各電極上の壁電圧を、続く初期化動作に適した値に調整する。
【００６７】
なお、本実施の形態では、１フィールドをサブフィールドＳＦ１からサブフィールドＳＦ１０までの１０のサブフィールドで構成し、サブフィールドＳＦ１からサブフィールドＳＦ１０までの各サブフィールドにはそれぞれ（１、２、３、６、１１、１８、３０、４４、６０、８０）の輝度重みを設定する例を説明する。そして、サブフィールドＳＦ１を強制初期化サブフィールドとし、サブフィールドＳＦ２からサブフィールドＳＦ１０を選択初期化サブフィールドとする。
【００６８】
しかし、本発明は１フィールドを構成するサブフィールドの数、強制初期化動作の発生頻度、各サブフィールドが有する輝度重み等が上述した数値に限定されるものではない。また、画像信号等にもとづいてサブフィールド構成を切り換える構成であってもよい。
【００６９】
図３は、本発明の実施の形態１におけるプラズマディスプレイ装置に用いるパネル１０の各電極に印加する駆動電圧波形の一例を概略的に示す図である。
【００７０】
図３には、データ電極Ｄ１〜データ電極Ｄｍ、書込み期間において最初に書込み動作を行う走査電極ＳＣ１、書込み期間において最後に書込み動作を行う走査電極ＳＣｎ（例えば、走査電極ＳＣ１０８０）、維持電極ＳＵ１〜維持電極ＳＵｎのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００７１】
また、図３には、強制初期化サブフィールドであるサブフィールドＳＦ１と、選択初期化サブフィールドであるサブフィールドＳＦ２を示す。サブフィールドＳＦ１とサブフィールドＳＦ２とでは、初期化期間に走査電極１２に印加する駆動電圧の波形形状が異なる。
【００７２】
なお、サブフィールドＳＦ３以降のサブフィールドは図示していないが、サブフィールドＳＦ１を除く各サブフィールドは選択初期化サブフィールドであり、維持パルスの発生数を除き、各期間でほぼ同様の駆動電圧波形を発生する。
【００７３】
まず、強制初期化サブフィールドであるサブフィールドＳＦ１について説明する。
【００７４】
強制初期化動作を行うサブフィールドＳＦ１の初期化期間の前半部では、データ電極Ｄ１〜データ電極Ｄｍには電圧０（Ｖ）を印加し、維持電極ＳＵ１〜維持電極ＳＵｎにも電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２まで緩やかに上昇する傾斜波形電圧（以下、「上り傾斜波形電圧」と呼称する）を印加する。このとき、電圧Ｖｉ１は、維持電極ＳＵ１〜維持電極ＳＵｎに対して放電開始電圧よりも低い電圧に設定し、電圧Ｖｉ２は、維持電極ＳＵ１〜維持電極ＳＵｎに対して放電開始電圧を超える電圧に設定する。
【００７５】
この上り傾斜波形電圧が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００７６】
走査電極ＳＣ１〜走査電極ＳＣｎに印加する電圧が電圧Ｖｉ２に到達したら、走査電極ＳＣ１〜走査電極ＳＣｎの電圧を、電圧Ｖｉ２よりも低い電圧Ｖｓまで下げる。このとき、維持電極ＳＵ１〜維持電極ＳＵｎに印加する電圧を、一旦、電圧０（Ｖ）から電圧Ｖｓまで上昇する。
【００７７】
サブフィールドＳＦ１の初期化期間の後半部では、維持電極ＳＵ１〜維持電極ＳＵｎには電圧Ｖｓよりも低い正の電圧Ｖｅを印加する。したがって、維持電極ＳＵ１〜維持電極ＳＵｎの電位は、高電位である電圧Ｖｓから低電位である電圧Ｖｅに低下する。データ電極Ｄ１〜データ電極Ｄｍには電圧０（Ｖ）を印加したままにする。走査電極ＳＣ１〜走査電極ＳＣｎには、電圧Ｖｓよりも低い電圧Ｖｑから負の電圧Ｖｉ３まで緩やかに下降する傾斜波形電圧（以下、「下り傾斜波形電圧」と呼称する）を印加する。電圧Ｖｑは、維持電極ＳＵ１〜維持電極ＳＵｎに対して放電開始電圧未満の電圧に設定し、電圧Ｖｉ３は、維持電極ＳＵ１〜維持電極ＳＵｎに対して放電開始電圧を超える電圧に設定する。
【００７８】
この下り傾斜波形電圧を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。これにより、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は、書込み期間での書込み動作に適した電圧に調整される。
【００７９】
以上の電圧波形が、直前のサブフィールドの動作にかかわらず放電セルに初期化放電を発生する強制初期化波形である。そして、強制初期化波形を走査電極１２に印加する動作が強制初期化動作である。
【００８０】
以上により、強制初期化サブフィールド（サブフィールドＳＦ１）の初期化期間における強制初期化動作が終了する。そして、強制初期化サブフィールドの初期化期間では、パネル１０の画像表示領域における全ての放電セルで強制的に初期化放電を発生する。
【００８１】
サブフィールドＳＦ１の書込み期間では、維持電極ＳＵ１〜維持電極ＳＵｎには電圧Ｖｅを印加し、データ電極Ｄ１〜データ電極Ｄｍには電圧０（Ｖ）を印加し、走査電極ＳＣ１〜走査電極ＳＣｎには電圧Ｖｃを印加する。
【００８２】
次に、配置的に見て上から１番目（１行目）の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【００８３】
書込みパルスの電圧Ｖｄを印加したデータ電極Ｄｋと走査パルスの電圧Ｖａを印加した走査電極ＳＣ１との交差部にある放電セルでは、データ電極Ｄｋと走査電極ＳＣ１との電圧差が放電開始電圧を超え、データ電極Ｄｋと走査電極ＳＣ１との間に放電が発生する。
【００８４】
また、維持電極ＳＵ１〜維持電極ＳＵｎに電圧Ｖｅを印加しているため、データ電極Ｄｋと走査電極ＳＣ１との間に発生する放電に誘発されて、データ電極Ｄｋと交差する領域にある維持電極ＳＵ１と走査電極ＳＣ１との間にも放電が発生する。こうして、走査パルスの電圧Ｖａと書込みパルスの電圧Ｖｄとが同時に印加された放電セル（発光するべき放電セル）に書込み放電が発生する。
【００８５】
書込み放電が発生した放電セルでは、走査電極ＳＣ１上に正の壁電圧が蓄積され、維持電極ＳＵ１上に負の壁電圧が蓄積され、データ電極Ｄｋ上にも負の壁電圧が蓄積される。
【００８６】
このようにして、１行目の放電セルにおける書込み動作が終了する。なお、書込みパルスを印加しなかったデータ電極Ｄｈ（データ電極Ｄｈはデータ電極Ｄ１〜データ電極Ｄｍのうちデータ電極Ｄｋを除いたもの）を有する放電セルでは、データ電極Ｄｈと走査電極ＳＣ１との交差部の電圧は放電開始電圧を超えないので、書込み放電は発生せず、初期化期間終了後の壁電圧が保たれる。
【００８７】
次に、配置的に見て上から２番目（２行目）の走査電極ＳＣ２に電圧Ｖａの走査パルスを印加するとともに、２行目に発光するべき放電セルに対応するデータ電極Ｄｋに電圧Ｖｄの書込みパルスを印加する。これにより、走査パルスと書込みパルスとが同時に印加された２行目の放電セルでは書込み放電が発生する。こうして、２行目の放電セルにおける書込み動作を行う。
【００８８】
同様の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに維持放電のための壁電荷を形成する。
【００８９】
なお、初期化期間の後半に維持電極ＳＵ１〜維持電極ＳＵｎに印加する電圧Ｖｅと、書込み期間に維持電極ＳＵ１〜維持電極ＳＵｎに印加する電圧Ｖｅとは互いに異なる電圧値であってもよい。
【００９０】
サブフィールドＳＦ１の維持期間では、まず維持電極ＳＵ１〜維持電極ＳＵｎに電圧０（Ｖ）を印加する。そして、走査電極ＳＣ１〜走査電極ＳＣｎに正の電圧Ｖｓの維持パルスを印加する。
【００９１】
この維持パルスの印加により、書込み期間に書込み放電を発生した放電セルでは、走査電極ＳＣｉと維持電極ＳＵｉとの電圧差が放電開始電圧を超え、走査電極ＳＣｉと維持電極ＳＵｉとの間に維持放電が発生する。そして、この維持放電により発生した紫外線により、維持放電が発生した放電セルの蛍光体層２５が発光する。また、この維持放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【００９２】
続いて、走査電極ＳＣ１〜走査電極ＳＣｎに電圧０（Ｖ）を印加し、維持電極ＳＵ１〜維持電極ＳＵｎに電圧Ｖｓの維持パルスを印加する。直前に維持放電を発生した放電セルでは再び維持放電が発生し、維持電極ＳＵｉ上に負の壁電圧が蓄積され、走査電極ＳＣｉ上に正の壁電圧が蓄積される。
【００９３】
以降同様に、走査電極ＳＣ１〜走査電極ＳＣｎと維持電極ＳＵ１〜維持電極ＳＵｎとに、階調重みに所定の輝度倍数を乗じた数の維持パルスを交互に印加する。こうして、書込み期間において書込み放電を発生した放電セルは、階調重みに応じた回数の維持放電を発生し、階調重みに応じた輝度で発光する。
【００９４】
こうして、サブフィールドＳＦ１の維持期間における維持動作が終了する。
【００９５】
サブフィールドＳＦ１の消去期間では、維持電極ＳＵ１〜維持電極ＳＵｎおよびデータ電極Ｄ１〜データ電極Ｄｍに電圧０（Ｖ）を印加したまま、走査電極ＳＣ１〜走査電極ＳＣｎには、放電開始電圧未満の電圧から、放電開始電圧を超える負の電圧Ｖｉ３に向かって、強制初期化期間に発生した下り傾斜波形電圧と同じ勾配で緩やかに下降する下り傾斜波形電圧を印加する。
【００９６】
この下り傾斜波形電圧を走査電極ＳＣ１〜走査電極ＳＣｎに印加する間に、直前の維持期間に維持放電を発生した放電セルでは、微弱な放電（消去放電）が持続して発生する。そして、下降する電圧があらかじめ定めた電圧Ｖｉ３に到達したら、走査電極ＳＣ１〜走査電極ＳＣｎに印加する電圧を電圧０（Ｖ）まで上昇する。
【００９７】
続いて、走査電極ＳＣ１〜走査電極ＳＣｎに電圧０（Ｖ）から電圧Ｖｒまで緩やかに上昇する上り傾斜波形電圧を印加する。
【００９８】
電圧Ｖｒを放電開始電圧を超える電圧に設定することで、走査電極ＳＣ１〜走査電極ＳＣｎへ印加する上り傾斜波形電圧が放電開始電圧を超えて上昇する間に、直前の維持期間に維持放電を発生した放電セルの維持電極ＳＵｉと走査電極ＳＣｉとの間に、微弱な放電（消去放電）が持続して発生する。
【００９９】
この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積される。これにより、データ電極Ｄｋ上の正の壁電圧を残したまま、走査電極ＳＣｉ上の壁電圧および維持電極ＳＵｉ上の壁電圧が弱められる。こうして、放電セル内における不要な壁電荷が消去される。
【０１００】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の消去期間における消去動作が終了する。
【０１０１】
以上により、サブフィールドＳＦ１が終了する。
【０１０２】
次に、選択初期化サブフィールドについてサブフィールドＳＦ２を例に挙げて説明する。
【０１０３】
サブフィールドＳＦ２の初期化期間では、データ電極Ｄ１〜データ電極Ｄｍに電圧０（Ｖ）を印加し、維持電極ＳＵ１〜維持電極ＳＵｎには、一旦電圧Ｖｓを印加し、その後、電圧Ｖｓよりも低い正の電圧Ｖｅを印加する。
【０１０４】
走査電極ＳＣ１〜走査電極ＳＣｎには放電開始電圧未満となる電圧から負の電圧Ｖｉ３に向かって、強制初期化期間に発生した下り傾斜波形電圧と同じ勾配で下降する下り傾斜波形電圧を印加する。電圧Ｖｉ３は、放電開始電圧を超える電圧に設定する。
【０１０５】
この下り傾斜波形電圧を走査電極ＳＣ１〜走査電極ＳＣｎに印加する間に、直前のサブフィールド（図３では、サブフィールドＳＦ１）の維持期間に維持放電を発生した放電セルでは、走査電極ＳＣｉと維持電極ＳＵｉとの間、および走査電極ＳＣｉとデータ電極Ｄｋとの間でそれぞれ微弱な初期化放電が発生する。
【０１０６】
そして、この初期化放電により、走査電極ＳＣｉ上の負の壁電圧および維持電極ＳＵｉ上の正の壁電圧が弱められる。また、データ電極Ｄｋ上の正の壁電圧の過剰な部分が放電される。こうして、放電セル内の壁電圧は書込み期間における書込み動作に適した壁電圧に調整される。
【０１０７】
一方、直前のサブフィールド（サブフィールドＳＦ１）の維持期間に維持放電を発生しなかった放電セルでは、初期化放電は発生せず、それ以前の壁電圧が保たれる。
【０１０８】
上述の電圧波形が、直前のサブフィールドの書込み期間（ここでは、書込み期間）で書込み動作を行った放電セルで選択的に初期化放電を発生する選択初期化波形である。そして、選択初期化波形を走査電極１２に印加する動作が選択初期化動作である。
【０１０９】
以上により、選択初期化サブフィールドであるサブフィールドＳＦ２の初期化期間における選択初期化動作が終了する。
【０１１０】
サブフィールドＳＦ２の書込み期間では、サブフィールドＳＦ１の書込み期間と同様の駆動電圧波形を各電極に印加する。続く維持期間も、サブフィールドＳＦ１の維持期間と同様に、階調重みに応じた数の維持パルスを走査電極ＳＣ１〜走査電極ＳＣｎと維持電極ＳＵ１〜維持電極ＳＵｎとに交互に印加する。続く消去期間も、サブフィールドＳＦ１の消去期間と同様の駆動電圧波形を各電極に印加する。
【０１１１】
サブフィールドＳＦ３以降の各サブフィールドでは、維持期間に発生する維持パルスの数を除き、サブフィールドＳＦ２と同様の駆動電圧波形を各電極に印加する。
【０１１２】
以上が、本実施の形態においてパネル１０の各電極に印加する駆動電圧波形の概要である。
【０１１３】
なお、本実施の形態において各電極に印加する電圧値は、例えば、電圧Ｖｉ１＝１５０（Ｖ）、電圧Ｖｉ２＝３５０（Ｖ）、電圧Ｖｉ３＝−２００（Ｖ）、電圧Ｖｃ＝−７０（Ｖ）、電圧Ｖａ＝−２２０（Ｖ）、電圧Ｖｓ＝２００（Ｖ）、電圧Ｖｑ＝１５０（Ｖ）、電圧Ｖｅ＝１２０（Ｖ）、電圧Ｖｒ＝２００（Ｖ）、電圧Ｖｄ＝６０（Ｖ）である。また、初期化期間に発生する上り傾斜波形電圧の勾配は約１．３Ｖ／μｓｅｃであり、消去期間に発生する上り傾斜波形電圧の勾配は約１０Ｖ／μｓｅｃであり、各初期化期間および消去期間に発生する下り傾斜波形電圧の勾配は約−１．５Ｖ／μｓｅｃである。
【０１１４】
なお、本実施の形態において、上述した電圧値や勾配等の具体的な数値は単なる一例に過ぎず、本発明は、各電圧値や勾配等が上述した数値に限定されるものではない。各電圧値や勾配等は、パネルの放電特性やプラズマディスプレイ装置の仕様等にもとづき最適に設定することが望ましい。
【０１１５】
なお、本実施の形態では、サブフィールドＳＦ１を強制初期化動作を行う強制初期化サブフィールドとし、他のサブフィールド（サブフィールドＳＦ２以降のサブフィールド）を選択初期化動作を行う選択初期化サブフィールドとしたが、本発明は何らこの構成に限定されるものではない。例えば、サブフィールドＳＦ１を選択初期化サブフィールドにして他のサブフィールドを強制初期化サブフィールドにしたり、あるいは複数のサブフィールドを強制初期化サブフィールドとしてもよい。
【０１１６】
上述したように、サブフィールド法では、あらかじめ階調重みを定めた複数のサブフィールドで１フィールドを構成する。そして、点灯するサブフィールド（点灯サブフィールド）と点灯しないサブフィールド（非点灯サブフィールド）とを組み合わせて、各放電セルを、画像信号にもとづく階調値の大きさに応じた発光輝度で発光する。
【０１１７】
次に、本実施の形態におけるプラズマディスプレイ装置の構成について説明する。
【０１１８】
図４は、本発明の実施の形態１におけるプラズマディスプレイ装置３０を構成する回路ブロックの一例を概略的に示す図である。
【０１１９】
プラズマディスプレイ装置３０は、パネル１０と、パネル１０を駆動する駆動回路とを備えている。駆動回路は、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【０１２０】
画像信号処理回路３１に入力される画像信号は、赤の画像信号、緑の画像信号、青の画像信号である。画像信号処理回路３１は、赤の画像信号、緑の画像信号、青の画像信号にもとづき、各放電セルに赤、緑、青の各階調値（１フィールドで表現される階調値）を設定する。なお、画像信号処理回路３１は、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき赤の画像信号、緑の画像信号、青の画像信号を算出し、その後、各放電セルに赤、緑、青の各階調値を設定する。そして、各放電セルに設定した赤、緑、青の階調値を、サブフィールド毎の点灯・非点灯を示す画像データ（発光・非発光をデジタル信号の「１」、「０」に対応させたデータのこと）に変換して出力する。すなわち、画像信号処理回路３１は、赤の画像信号、緑の画像信号、青の画像信号を、赤の画像データ、緑の画像データ、青の画像データに変換して出力する。
【０１２１】
タイミング発生回路３５は、水平同期信号および垂直同期信号にもとづき、各回路ブロックの動作を制御する各種のタイミング信号を発生する。そして、発生したタイミング信号をそれぞれの回路ブロック（データ電極駆動回路３２、走査電極駆動回路３３、維持電極駆動回路３４、および画像信号処理回路３１等）へ供給する。
【０１２２】
走査電極駆動回路３３は、傾斜波形発生部、維持パルス発生部、走査パルス発生部（図４には示さず）を備え、タイミング発生回路３５から供給されるタイミング信号にもとづいて駆動電圧波形を作成し、走査電極ＳＣ１〜走査電極ＳＣｎのそれぞれに印加する。傾斜波形発生部は、タイミング信号にもとづき、初期化期間に走査電極ＳＣ１〜走査電極ＳＣｎに印加する強制初期化波形および選択初期化波形を発生する。維持パルス発生部は、タイミング信号にもとづき、維持期間に走査電極ＳＣ１〜走査電極ＳＣｎに印加する維持パルスを発生する。走査パルス発生部は、複数の走査電極駆動ＩＣ（走査ＩＣ）を備え、タイミング信号にもとづき、書込み期間に走査電極ＳＣ１〜走査電極ＳＣｎに印加する走査パルスを発生する。
【０１２３】
維持電極駆動回路３４は、維持パルス発生部、電圧Ｖｅを発生する回路（図４には示さず）を備え、タイミング発生回路３５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。初期化期間および書込み期間では、タイミング信号にもとづいて電圧Ｖｅを発生し、維持電極ＳＵ１〜維持電極ＳＵｎに印加する。
【０１２４】
データ電極駆動回路３２は、画像信号処理回路３１から出力される各色の画像データおよびタイミング発生回路３５から供給されるタイミング信号にもとづき、各データ電極Ｄ１〜データ電極Ｄｍに対応する書込みパルスを発生する。そして、データ電極駆動回路３２は、書込み期間に、その書込みパルスを各データ電極Ｄ１〜データ電極Ｄｍに印加する。
【０１２５】
次に、プラズマディスプレイ装置３０が有する駆動回路の詳細とその動作について説明する。
【０１２６】
図５は、本発明の実施の形態１におけるプラズマディスプレイ装置３０の駆動回路の一例を概略的に示す図である。
【０１２７】
図５には、走査電極駆動回路３３、維持電極駆動回路３４、およびデータ電極駆動回路３２の詳細を示す。
【０１２８】
また、図５には、パネル１０の電極間容量Ｃｐ、および電極間容量Ｃｐｄもあわせて示す。電極間容量Ｃｐとは、走査電極ＳＣ１〜走査電極ＳＣｎと維持電極ＳＵ１〜維持電極ＳＵｎとの間に生じる電極間容量のことである。電極間容量Ｃｐｄとは、走査電極ＳＣ１〜走査電極ＳＣｎとデータ電極Ｄ１〜データ電極Ｄｍとの間に生じる電極間容量のことであり、維持電極ＳＵ１〜維持電極ＳＵｎとデータ電極Ｄ１〜データ電極Ｄｍとの間に生じる電極間容量のことである。
【０１２９】
走査電極駆動回路３３は、維持パルス発生部５０、第１の傾斜波形電圧発生部５５、第２の傾斜波形電圧発生部５６、基準電位設定部５７、分離部５８、および走査パルス発生部５９を有する。
【０１３０】
維持電極駆動回路３４は、維持パルス発生部６０、および基準電位設定部６５を有する。
【０１３１】
走査電極駆動回路３３の維持パルス発生部５０は、第１の電力回収部５１、および第１のクランプ部５３を備える。
【０１３２】
第１の電力回収部５１は、コンデンサＣ５１、スイッチング素子Ｑ５１、スイッチング素子Ｑ５２、ダイオードＤｉ５１、ダイオードＤｉ５２、およびインダクタＬ５１を有する。
【０１３３】
第１のクランプ部５３は、スイッチング素子Ｑ５３およびスイッチング素子Ｑ５４を有する。
【０１３４】
第１の電力回収部５１は、走査電極ＳＣ１〜走査電極ＳＣｎと維持電極ＳＵ１〜維持電極ＳＵｎとの間の電極間容量ＣｐとインダクタＬ５１とを共振させて維持パルスの立ち上がり、および立ち下がりを行う。
【０１３５】
維持パルスの立ち上がり時には、電極間容量ＣｐとインダクタＬ５１とを共振させて、コンデンサＣ５１からスイッチング素子Ｑ５１、ダイオードＤｉ５１およびインダクタＬ５１を介して走査電極ＳＣ１〜走査電極ＳＣｎに電流を流し、コンデンサＣ５１に蓄えられた電荷を電極間容量Ｃｐに移動する。
【０１３６】
維持パルスの立ち下がり時には、電極間容量ＣｐとインダクタＬ５１とを共振させて、電極間容量Ｃｐに蓄えられた電荷を、インダクタＬ５１、ダイオードＤｉ５２およびスイッチング素子Ｑ５２を介してコンデンサＣ５１に回収する。
【０１３７】
第１の電力回収部５１は、このようにして、正の電圧Ｖｓから電圧０（Ｖ）まで変化する維持パルスの立ち上がりおよび立ち下がりを行う。第１の電力回収部５１は電源から電力を供給されることなくＬＣ共振によって走査電極ＳＣ１〜走査電極ＳＣｎの駆動を行う。そのため、第１の電力回収部５１における消費電力は、理想的には「０」となる。なお、コンデンサＣ５１は電極間容量Ｃｐに比べて十分に大きい容量を持ち、電圧Ｖｓと電圧０（Ｖ）の中間の電位（電圧Ｖｓ／２）に充電されており、第１の電力回収部５１の電源として働く。
【０１３８】
第１のクランプ部５３は、スイッチング素子Ｑ５３を導通することにより、走査電極ＳＣ１〜走査電極ＳＣｎを正の電圧Ｖｓにクランプする。また、スイッチング素子Ｑ５４を導通することにより、走査電極ＳＣ１〜走査電極ＳＣｎを電圧０（Ｖ）にクランプする。このように、第１のクランプ部５３は、走査電極ＳＣ１〜走査電極ＳＣｎに印加する維持パルスの電圧を、電圧Ｖｓまたは電圧０（Ｖ）にクランプする。したがって、第１のクランプ部５３によって走査電極ＳＣ１〜走査電極ＳＣｎに電圧を印加するときのインピーダンスは相対的に小さく、強い維持放電による大きな放電電流を安定して流すことができる。
【０１３９】
このようにして、第１の電力回収部５１および第１のクランプ部５３は、タイミング発生回路３５から供給されるタイミング信号にもとづき、走査パルス発生部５９の基準電位となる節点Ｐ５９の電圧を、電圧Ｖｓから電圧０（Ｖ）に変異させ、電圧０（Ｖ）から電圧Ｖｓに変異させる。こうして、維持期間中は短絡状態となる走査パルス発生部５９を介して、電極間容量Ｃｐの一端である走査電極ＳＣ１〜走査電極ＳＣｎに維持パルスを印加する。
【０１４０】
なお、節点Ｐ５９とは、維持パルス発生部５０、第１の傾斜波形電圧発生部５５、第２の傾斜波形電圧発生部５６、基準電位設定部５７、および走査パルス発生部５９が電気的に接続される接続点のことである。
【０１４１】
第１の傾斜波形電圧発生部５５は、ミラー積分回路を有する。このミラー積分回路は、初期化期間および消去期間に、上昇する傾斜波形電圧を発生する傾斜波形電圧発生回路である。
【０１４２】
このミラー積分回路は、スイッチング素子Ｑ５５、コンデンサＣ５５、抵抗Ｒ５５によって構成され、節点Ｐ５９の電圧を正の電圧Ｖｒまで上昇させて、上り傾斜波形電圧を発生する。
【０１４３】
第２の傾斜波形電圧発生部５６は、ミラー積分回路を有する。このミラー積分回路は、初期化期間および消去期間に、下降する傾斜波形電圧を発生する傾斜波形電圧発生回路である。
【０１４４】
このミラー積分回路は、スイッチング素子Ｑ５６、コンデンサＣ５６、抵抗Ｒ５６によって構成され、節点Ｐ５９の電圧を負の電圧Ｖｉ３まで下降させて、下り傾斜波形電圧を発生する。
【０１４５】
基準電位設定部５７は、スイッチング素子Ｑ５７を有する。そして、スイッチング素子Ｑ５７を導通することで、節点Ｐ５９の電圧を負の電圧Ｖａにクランプする。
【０１４６】
分離部５８は、スイッチング素子Ｑ５８を有する。走査電極ＳＣ１〜走査電極ＳＣｎに負の電圧Ｖｉ３または負の電圧Ｖａを印加する際に、スイッチング素子Ｑ５８を遮断することで、スイッチング素子Ｑ５４に貫通電流が流れることを防止し、接地電位（電圧０（Ｖ））から電圧Ｖｉ３へ、もしくは接地電位（電圧０（Ｖ））から電圧Ｖａへ、電流が流れることを防止することができる。
【０１４７】
走査パルス発生部５９は、電源Ｅ５９、スイッチング素子Ｑ５Ｈ１〜スイッチング素子Ｑ５Ｈｎ、およびスイッチング素子Ｑ５Ｌ１〜スイッチング素子Ｑ５Ｌｎを有する。
【０１４８】
電源Ｅ５９は、走査パルス発生部５９の基準電位である節点Ｐ５９の電圧に正の電圧Ｖｑを重畳する。スイッチング素子Ｑ５Ｈ１〜スイッチング素子Ｑ５Ｈｎは、電源Ｅ５９の高電圧側の電圧（すなわち、節点Ｐ５９に正の電圧Ｖｑを重畳した電圧）を走査電極ＳＣ１〜走査電極ＳＣｎに印加する。スイッチング素子Ｑ５Ｌ１〜スイッチング素子Ｑ５Ｌｎは、電源Ｅ５９の低電圧側の電圧（すなわち、節点Ｐ５９の電圧）を走査電極ＳＣ１〜走査電極ＳＣｎに印加する。
【０１４９】
このように構成された走査パルス発生部５９では、書込み期間においては、スイッチング素子Ｑ５７をオンにして節点Ｐ５９を負の電圧Ｖａに接続し、スイッチング素子Ｑ５Ｌ１〜スイッチング素子Ｑ５Ｌｎには負の電圧Ｖａを、スイッチング素子Ｑ５Ｈ１〜スイッチング素子Ｑ５Ｈｎには電圧Ｖａ＋電圧Ｖｑとなった電圧Ｖｃを印加する。そして、タイミング発生回路３５から供給されるタイミング信号にもとづき、走査パルスを印加する走査電極ＳＣｉに対しては、スイッチング素子Ｑ５Ｈｉをオフにし、スイッチング素子Ｑ５Ｌｉをオンにすることで、スイッチング素子Ｑ５Ｌｉを経由して走査電極ＳＣｉに負の電圧Ｖａの走査パルスを印加する。また、走査パルスを印加しない走査電極ＳＣｈ（ｈは、１〜ｎのうちｉを除いたもの）に対しては、スイッチング素子Ｑ５Ｌｈをオフにし、スイッチング素子Ｑ５Ｈｈをオンにすることで、スイッチング素子Ｑ５Ｈｈを経由して走査電極ＳＣｈに電圧Ｖａ＋電圧Ｖｑを印加する。
【０１５０】
なお、本実施の形態においては、電圧Ｖｑ＝１５０（Ｖ）であり、電圧Ｖｃは電圧（Ｖｑ＋Ｖａ）に等しく、電圧Ｖｉ２は電圧（Ｖｒ＋Ｖｑ）に等しい。
【０１５１】
維持電極駆動回路３４の維持パルス発生部６０は、第２の電力回収部６１、および第２のクランプ部６３を備える。
【０１５２】
第２の電力回収部６１は、コンデンサＣ６１、スイッチング素子Ｑ６１、スイッチング素子Ｑ６２、ダイオードＤｉ６１、ダイオードＤｉ６２、およびインダクタＬ６１を有する。
【０１５３】
第２のクランプ部６３は、スイッチング素子Ｑ６３およびスイッチング素子Ｑ６４を有する。
【０１５４】
第２の電力回収部６１は、走査電極ＳＣ１〜走査電極ＳＣｎと維持電極ＳＵ１〜維持電極ＳＵｎとの間の電極間容量ＣｐとインダクタＬ６１とを共振させて維持パルスの立ち上がり、および立ち下がりを行う。
【０１５５】
維持パルスの立ち上がり時には、電極間容量ＣｐとインダクタＬ６１とを共振させて、コンデンサＣ６１からスイッチング素子Ｑ６１、ダイオードＤｉ６１およびインダクタＬ６１を介して維持電極ＳＵ１〜維持電極ＳＵｎに電流を流し、コンデンサＣ６１に蓄えられた電荷を電極間容量Ｃｐに移動する。
【０１５６】
維持パルスの立ち下がり時には、電極間容量ＣｐとインダクタＬ６１とを共振させて、電極間容量Ｃｐに蓄えられた電荷を、インダクタＬ６１、ダイオードＤｉ６２およびスイッチング素子Ｑ６２を介してコンデンサＣ６１に回収する。
【０１５７】
第２の電力回収部６１は、このようにして、正の電圧Ｖｓから電圧０（Ｖ）まで変化する維持パルスの立ち上がりおよび立ち下がりを行う。第２の電力回収部６１は電源から電力を供給されることなくＬＣ共振によって維持電極ＳＵ１〜維持電極ＳＵｎの駆動を行う。そのため、第２の電力回収部６１における消費電力は、理想的には「０」となる。なお、コンデンサＣ６１は電極間容量Ｃｐに比べて十分に大きい容量を持ち、電圧Ｖｓと電圧０（Ｖ）の中間の電位（電圧Ｖｓ／２）に充電されており、第２の電力回収部６１の電源として働く。
【０１５８】
第２のクランプ部６３は、スイッチング素子Ｑ６３を導通することにより、維持電極ＳＵ１〜維持電極ＳＵｎを正の電圧Ｖｓにクランプする。また、スイッチング素子Ｑ６４を導通することにより、維持電極ＳＵ１〜維持電極ＳＵｎを電圧０（Ｖ）にクランプする。このように、第２のクランプ部６３は、維持電極ＳＵ１〜維持電極ＳＵｎに印加する維持パルスの電圧を、電圧Ｖｓまたは電圧０（Ｖ）にクランプする。したがって、第２のクランプ部６３によって維持電極ＳＵ１〜維持電極ＳＵｎに電圧を印加するときのインピーダンスは相対的に小さく、強い維持放電による大きな放電電流を安定して流すことができる。
【０１５９】
このようにして、第２の電力回収部６１および第２のクランプ部６３は、タイミング発生回路３５から供給されるタイミング信号にもとづき、維持電極ＳＵ１〜維持電極ＳＵｎに印加する電圧を、電圧Ｖｓから電圧０（Ｖ）に変異させ、電圧０（Ｖ）から電圧Ｖｓに変異させる。こうして、維持電極駆動回路３４は、電極間容量Ｃｐの一端である維持電極ＳＵ１〜維持電極ＳＵｎに維持パルスを印加する。
【０１６０】
基準電位設定部６５は、スイッチング素子Ｑ６５およびスイッチング素子Ｑ６６を有する。そして、初期化期間および書込み期間にスイッチング素子Ｑ６５およびスイッチング素子Ｑ６６を導通することで、維持電極ＳＵ１〜維持電極ＳＵｎを正の電圧Ｖｅにクランプする。
【０１６１】
データ電極駆動回路３２は、データ電極２２と同数のスイッチング素子Ｑ７１およびスイッチング素子Ｑ７２を有する（図５には、スイッチング素子Ｑ７１およびスイッチング素子Ｑ７２をそれぞれ１つだけ記載）。
【０１６２】
本実施の形態においてデータ電極２２の本数は「ｍ」であるので、データ電極駆動回路３２は、ｍ個のスイッチング素子Ｑ７１およびスイッチング素子Ｑ７２を有する。そして、ｍ個のスイッチング素子Ｑ７１およびスイッチング素子Ｑ７２のそれぞれは、スイッチング素子Ｑ７１とスイッチング素子Ｑ７２との接続点がｍ本のデータ電極Ｄ１〜データ電極Ｄｍのそれぞれに接続されている。
【０１６３】
データ電極駆動回路３２は、画像信号処理回路３１から出力される各色の画像データおよびタイミング発生回路３５から供給されるタイミング信号にもとづき、各データ電極Ｄ１〜データ電極Ｄｍに対応する書込みパルスを発生する。
【０１６４】
すなわち、データ電極駆動回路３２は、書込み期間に、画像データにもとづきスイッチング素子Ｑ７１を導通しスイッチング素子Ｑ７２を遮断する動作と、スイッチング素子Ｑ７１を遮断しスイッチング素子Ｑ７２を導通する動作とを行うことで、データ電極Ｄ１〜データ電極Ｄｍのそれぞれに書込みパルス（書込みパルス電圧Ｖｄまたは０（Ｖ））を印加する。
【０１６５】
データ電極駆動回路３２は、書込み期間に画像表示データに応じて選択的に電圧Ｖｄを維持電極ＳＵ１〜維持電極ＳＵｎに印加するためのスイッチング素子Ｑ７１、スイッチング素子Ｑ７２を有する。
【０１６６】
次に、強制初期化サブフィールド（本実施の形態では、サブフィールドＳＦ１）の初期化期間（強制初期化期間）に走査電極ＳＣ１〜走査電極ＳＣｎおよび維持電極ＳＵ１〜維持電極ＳＵｎに印加する駆動電圧波形を発生する際の駆動回路の動作について説明する。
【０１６７】
図６は、本発明の実施の形態１におけるプラズマディスプレイ装置３０の初期化期間における駆動回路の動作を説明するためのタイミングチャートである。
【０１６８】
図６には、走査電極ＳＣ１〜走査電極ＳＣｎに印加する駆動電圧波形、および維持電極ＳＵ１〜維持電極ＳＵｎに印加する駆動電圧波形を示す。なお、この図面では強制初期化動作時に発生する電圧波形を例にして説明するが、選択初期化動作および消去期間において下り傾斜波形電圧を発生する動作は、図８に説明する下り傾斜波形電圧を発生する動作と同様である。
【０１６９】
また、図６では、強制初期化動作を行う際に発生する電圧波形を期間Ｔ１１、期間Ｔ１２、期間Ｔ１３で示す３つの期間に分割し、それぞれの期間について説明する。また、図面にはスイッチング素子を導通させることを「オン」、遮断させることを「オフ」と表記する。
【０１７０】
（期間Ｔ１１）
期間Ｔ１１では、まず、スイッチング素子Ｑ５４およびスイッチング素子Ｑ５８をオンにし、スイッチング素子Ｑ５１、スイッチング素子Ｑ５２、スイッチング素子Ｑ５３、スイッチング素子Ｑ５５、スイッチング素子Ｑ５６、およびスイッチング素子Ｑ５７をオフにして、節点Ｐ５９の電圧を電圧０（Ｖ）にする。そして、スイッチング素子Ｑ５Ｌ１〜スイッチング素子Ｑ５Ｌｎをオンにし、スイッチング素子Ｑ５Ｈ１〜スイッチング素子Ｑ５Ｈｎをオフにして、走査電極ＳＣ１〜走査電極ＳＣｎに節点Ｐ５９の電圧を印加する。これにより、走査電極ＳＣ１〜走査電極ＳＣｎに電圧０（Ｖ）を印加する。
【０１７１】
また、スイッチング素子Ｑ６４をオンにし、スイッチング素子Ｑ６１、スイッチング素子Ｑ６２、スイッチング素子Ｑ６３、スイッチング素子Ｑ６５、およびスイッチング素子Ｑ６６をオフにして、維持電極ＳＵ１〜維持電極ＳＵｎに電圧０（Ｖ）を印加する。
【０１７２】
次に、時刻ｔ１において、スイッチング素子Ｑ５Ｌ１〜スイッチング素子Ｑ５Ｌｎをオフにし、スイッチング素子Ｑ５Ｈ１〜スイッチング素子Ｑ５Ｈｎをオンにする。これにより、走査電極ＳＣ１〜走査電極ＳＣｎに節点Ｐ５９の電圧に電圧Ｖｑを重畳した電圧を印加する。このとき、節点Ｐ５９の電圧は電圧０（Ｖ）なので、走査電極ＳＣ１〜走査電極ＳＣｎには電圧Ｖｑが印加される。
【０１７３】
次に、時刻ｔ２において、第１のクランプ部５３のスイッチング素子Ｑ５４をオフにし、節点Ｐ５９の電圧をハイインピーダンス状態（電源、接地電位および回路の出力端子等から電気的に遮断された状態のこと）にする。
【０１７４】
次に、第１の傾斜波形電圧発生部５５の抵抗Ｒ５５に電圧を印加し、コンデンサＣ５５に向かって一定の電流を流す。これにより、スイッチング素子Ｑ５５はオンになり、スイッチング素子Ｑ５５のソース電圧は電圧０（Ｖ）からランプ状に上昇し、走査電極駆動回路３３の出力電圧は、電圧Ｖｑからランプ状に上昇し始める。このとき、傾斜波形電圧の勾配が所望の値（例えば、１．３Ｖ／μｓｅｃ）になるように、抵抗Ｒ５５に印加する電圧を調整する。
【０１７５】
こうして、電圧Ｖｉ１（本実施の形態では、電圧Ｖｑに等しい）から電圧Ｖｉ２（本実施の形態では、電圧Ｖｑ＋電圧Ｖｒに等しい）に向かって上昇する上り傾斜波形電圧を発生する。なお、この電圧上昇は、抵抗Ｒ５５に電圧を印加している期間、もしくは、節点Ｐ５９の電圧が電圧Ｖｒに到達するまで継続する。
【０１７６】
期間Ｔ１１では、このようにして、電圧Ｖｉ１（本実施の形態では、電圧Ｖｑに等しい）から放電開始電圧を超える電圧Ｖｉ２（本実施の形態では、電圧Ｖｑ＋電圧Ｖｒに等しい）に向かって緩やかに上昇する上り傾斜波形電圧を発生し、走査電極ＳＣ１〜走査電極ＳＣｎに印加する。
【０１７７】
（期間Ｔ１２）
期間Ｔ１２では、まず時刻ｔ３において、第１の傾斜波形電圧発生部５５のスイッチング素子Ｑ５５をオフにし、第１のクランプ部５３のスイッチング素子Ｑ５３をオンにし、走査パルス発生部５９のスイッチング素子Ｑ５Ｈ１〜スイッチング素子Ｑ５Ｈｎをオフにし、スイッチング素子Ｑ５Ｌ１〜スイッチング素子Ｑ５Ｌｎをオンにする。これにより、走査電極ＳＣ１〜走査電極ＳＣｎは電圧Ｖｓにクランプされる。
【０１７８】
次に、時刻ｔ４において、維持電極駆動回路３４の第２のクランプ部６３のスイッチング素子Ｑ６４をオフにし、第２の電力回収部６１のスイッチング素子Ｑ６１をオンにする。これにより、インダクタＬ６１と電極間容量ＣｐとがＬＣ共振し、コンデンサＣ６１に蓄えられた電荷が、スイッチング素子Ｑ６１、ダイオードＤｉ６１、およびインダクタＬ６１を介して電極間容量Ｃｐに移動する。こうして、維持電極ＳＵ１〜維持電極ＳＵｎの電圧は、電圧０（Ｖ）から電圧Ｖｓに向かって上昇する。
【０１７９】
維持電極ＳＵ１〜維持電極ＳＵｎの電圧が電圧Ｖｓ付近まで上昇する時刻ｔ５において、第２のクランプ部６３のスイッチング素子Ｑ６３をオンにする。これにより、維持電極ＳＵ１〜維持電極ＳＵｎは電圧Ｖｓにクランプされる。
【０１８０】
維持電極ＳＵ１〜維持電極ＳＵｎは電圧Ｖｓにクランプされた後の時刻ｔ６において、走査電極駆動回路３３の第１のクランプ部５３のスイッチング素子Ｑ５３および分離部５８のスイッチング素子Ｑ５８をオフにして、走査電極ＳＣ１〜走査電極ＳＣｎをハイインピーダンス状態にする。
【０１８１】
続く、時刻ｔ７において、維持電極ＳＵ１〜維持電極ＳＵｎに高電位から低電位に変化する電圧波形を印加する。具体的には、維持電極駆動回路３４の第２の電力回収部６１のスイッチング素子Ｑ６１および第２のクランプ部６３のスイッチング素子Ｑ６３をオフにし、基準電位設定部６５のスイッチング素子Ｑ６５およびスイッチング素子Ｑ６６をオンにする。これにより、維持電極ＳＵ１〜維持電極ＳＵｎの電位は、高電位である電圧Ｖｓから低電位である電圧Ｖｅに低下する。
【０１８２】
このとき、走査電極ＳＣ１〜走査電極ＳＣｎはハイインピーダンス状態であるため、維持電極ＳＵ１〜維持電極ＳＵｎの電位が低下すると、走査電極ＳＣ１〜走査電極ＳＣｎと維持電極ＳＵ１〜維持電極ＳＵｎの間に形成される電極間容量Ｃｐを介して、走査電極ＳＣ１〜走査電極ＳＣｎの電位も低下する。
【０１８３】
このときの低下電圧は、走査電極ＳＣ１〜走査電極ＳＣｎと維持電極ＳＵ１〜維持電極ＳＵｎとの間に形成される電極間容量Ｃｐと、走査電極ＳＣ１〜走査電極ＳＣｎとデータ電極Ｄ１〜データ電極Ｄｍ間に形成される電極間容量Ｃｐｄとの分圧により決まる。走査電極ＳＣ１〜走査電極ＳＣｎの電位は、理想的には、電力を実質的に消費することなく、以下の式による分だけ低下する。
（Ｖｓ−Ｖｅ）×Ｃｐ／（Ｃｐ＋Ｃｐｄ）
（期間Ｔ１３）
期間Ｔ１３では、時刻ｔ８において、第２の傾斜波形電圧発生部５６の抵抗Ｒ５６に電圧を印加し、コンデンサＣ５６に向かって一定の電流を流す。これにより、スイッチング素子Ｑ５６はオンになり、スイッチング素子Ｑ５６のドレイン電圧は、電圧０（Ｖ）から負の電圧Ｖｉ３に向かってランプ状に下降し、走査電極駆動回路３３の出力電圧も負の電圧Ｖｉ３に向かってランプ状に下降し始める。このとき、傾斜波形電圧の勾配が所望の値（例えば、−１．５Ｖ／μｓｅｃ）になるように、抵抗Ｒ５６に印加する電圧を調整する。
【０１８４】
こうして、電圧Ｖｉ２から上述の式による電圧だけ電圧降下した電圧から、負の電圧Ｖｉ３に向かって下降する下り傾斜波形電圧を発生する。なお、この電圧下降は、抵抗Ｒ５６に電圧を印加している期間、もしくは、節点Ｐ５９の電圧が電圧Ｖｉ３に到達するまで継続する。
【０１８５】
期間Ｔ１３では、このようにして発生した下り傾斜波形電圧を走査電極ＳＣ１〜走査電極ＳＣｎに印加する。
【０１８６】
走査電極ＳＣ１〜走査電極ＳＣｎの電圧が電圧Ｖｉ３に到達した後の時刻ｔ９において、走査パルス発生部５９のスイッチング素子Ｑ５Ｌ１〜スイッチング素子Ｑ５Ｌｎをオフにし、スイッチング素子Ｑ５Ｈ１〜スイッチング素子Ｑ５Ｈｎをオンにする。これにより、走査電極ＳＣ１〜走査電極ＳＣｎの電圧は電圧Ｖｉ３から、負の電圧Ｖｉ３に電圧Ｖｑを重畳した電圧（Ｖｉ３＋電圧Ｖｑ）まで上昇する。
【０１８７】
その後、スイッチング素子Ｑ５７をオンにして節点Ｐ５９の電圧を負の電圧Ｖａにクランプし、走査電極ＳＣ１〜走査電極ＳＣｎには電圧Ｖａに電圧Ｖｑを重畳した電圧Ｖｃを印加して、続く書込み期間に備える。
【０１８８】
このように、本実施の形態では、強制初期化期間において、走査電極ＳＣ１〜走査電極ＳＣｎに上り傾斜波形電圧を印加し終えてから下り傾斜波形電圧の印加を開始するまでの間に、上述した期間Ｔ１２を設ける。
【０１８９】
これにより、走査電極ＳＣ１〜走査電極ＳＣｎに下り傾斜波形電圧を印加するときの開始電圧を、電圧Ｖｓから（Ｖｓ−Ｖｅ）×Ｃｐ／（Ｃｐ＋Ｃｐｄ）の分だけ低下することができる。すなわち、電圧Ｖｓから（Ｖｓ−Ｖｅ）×Ｃｐ／（Ｃｐ＋Ｃｐｄ）の分だけ低下した電圧から、第２の傾斜波形電圧発生部５６の動作を開始することができる。
【０１９０】
したがって、上述した期間Ｔ１２を設けずに電圧Ｖｓを下り傾斜波形電圧の開始電圧とする従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０１９１】
例えば、電圧Ｖｓ＝２００（Ｖ）、電圧Ｖｅ＝１２０（Ｖ）であり、電極間容量Ｃｐと電極間容量Ｃｐｄとが３：１の比率であれば、下り傾斜波形電圧の開始電圧は以下の分だけ電圧Ｖｓから低下する。
（Ｖｓ−Ｖｅ）×Ｃｐ／（Ｃｐ＋Ｃｐｄ）
＝（２００−１２０）×３／（３＋１）
＝８０×３／４
＝６０
したがって、この場合では、電圧Ｖｓから６０（Ｖ）だけ電圧が低下した電圧１４０（Ｖ）が下り傾斜波形電圧の開始電圧となる。したがって、第２の傾斜波形電圧発生部５６は、電圧１４０（Ｖ）から電圧Ｖｉ３（例えば、電圧−２００（Ｖ））まで下降する下り傾斜波形電圧を発生すればよくなる。そのため、電圧Ｖｓ（例えば、２００（Ｖ））から電圧Ｖｉ３（例えば、電圧−２００（Ｖ））まで下降する下り傾斜波形電圧を発生するときと比較して、消費電力を低減することができる。
【０１９２】
以上示したように、本発明の実施の形態においては、走査電極ＳＣ１〜走査電極ＳＣｎに下り傾斜波形電圧を印加する直前に、走査電極ＳＣ１〜走査電極ＳＣｎをハイインピーダンス状態にするとともに、維持電極ＳＵ１〜維持電極ＳＵｎの電圧を低下させる。これにより、走査電極ＳＣ１〜走査電極ＳＣｎに印加する下り傾斜波形電圧の開始電圧を低下させることができ、従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０１９３】
これにより、例えば、定格値が相対的に低い半導体素子を用いて第２の傾斜波形電圧発生部５６を構成することが可能となる。
【０１９４】
（実施の形態２）
実施の形態１では、強制初期化サブフィールド（本実施の形態では、サブフィールドＳＦ１）の初期化期間（強制初期化期間）に維持電極ＳＵ１〜維持電極ＳＵｎおよび走査電極ＳＣ１〜走査電極ＳＣｎに印加する駆動電圧波形を発生する際の駆動回路の動作について説明した。本実施の形態では、強制初期化サブフィールド（本実施の形態では、サブフィールドＳＦ１）の初期化期間（強制初期化期間）にデータ電極Ｄ１〜データ電極Ｄｍに印加する駆動電圧波形を発生する際の駆動回路の動作について説明する。
【０１９５】
なお、本実施の形態におけるプラズマディスプレイ装置の構成は実施の形態１に示したプラズマディスプレイ装置３０の構成と同じであり、本実施の形態における１フィールドの構成も実施の形態１に示した１フィールドの構成と同じである。したがって、本実施の形態では、それらの説明は省略する。
【０１９６】
図７は、本発明の実施の形態２におけるプラズマディスプレイ装置に用いるパネル１０の各電極に印加する駆動電圧波形の一例を概略的に示す図である。
【０１９７】
図８は、本発明の実施の形態１におけるプラズマディスプレイ装置に用いるパネル１０の各電極に印加する駆動電圧波形の他の一例を概略的に示す図である。
【０１９８】
本実施の形態では、図７、図８に示すように、強制初期化動作を行うサブフィールドＳＦ１の初期化期間の前半部では、データ電極Ｄ１〜データ電極Ｄｍには電圧Ｖｄを印加し、維持電極ＳＵ１〜維持電極ＳＵｎには電圧０（Ｖ）を印加する。そして、走査電極ＳＣ１〜走査電極ＳＣｎには、電圧０（Ｖ）を印加した後に電圧Ｖｉ１を印加し、電圧Ｖｉ１から電圧Ｖｉ２まで緩やかに上昇する上り傾斜波形電圧を印加する。
【０１９９】
そして、図７に示すように、走査電極ＳＣ１〜走査電極ＳＣｎに印加する上り傾斜波形電圧が電圧Ｖｉ２に到達したら、走査電極ＳＣ１〜走査電極ＳＣｎの電圧を、電圧Ｖｉ２よりも低い電圧Ｖｓまで下げる。このとき、維持電極ＳＵ１〜維持電極ＳＵｎに印加する電圧を、一旦、電圧０（Ｖ）から電圧Ｖｓまで上昇する。
【０２００】
サブフィールドＳＦ１の初期化期間の後半部では、維持電極ＳＵ１〜維持電極ＳＵｎには電圧Ｖｓよりも低い正の電圧Ｖｅを印加する。したがって、維持電極ＳＵ１〜維持電極ＳＵｎの電位は、高電位である電圧Ｖｓから低電位である電圧Ｖｅに低下する。
【０２０１】
また、サブフィールドＳＦ１の初期化期間の後半部では、データ電極Ｄ１〜データ電極Ｄｍに電圧０（Ｖ）を印加する。したがって、データ電極Ｄ１〜データ電極Ｄｍの電位は、高電位である電圧Ｖｄから低電位である電圧０（Ｖ）に低下する。
【０２０２】
そして、走査電極ＳＣ１〜走査電極ＳＣｎには、電圧Ｖｓよりも低い電圧Ｖｑから負の電圧Ｖｉ３まで緩やかに下降する下り傾斜波形電圧を印加する。
【０２０３】
なお、図８に示すように、走査電極ＳＣ１〜走査電極ＳＣｎに印加する上り傾斜波形電圧が電圧Ｖｉ２に到達し、走査電極ＳＣ１〜走査電極ＳＣｎに印加する電圧を電圧Ｖｉ２から電圧Ｖｓまで下げるとき、維持電極ＳＵ１〜維持電極ＳＵｎに印加する電圧を、電圧０（Ｖ）に維持したままにしてもよい。
【０２０４】
そして、サブフィールドＳＦ１の初期化期間の後半部では、維持電極ＳＵ１〜維持電極ＳＵｎには正の電圧Ｖｅを印加し、データ電極Ｄ１〜データ電極Ｄｍには電圧０（Ｖ）を印加する。したがって、データ電極Ｄ１〜データ電極Ｄｍの電位は、高電位である電圧Ｖｄから低電位である電圧０（Ｖ）に低下する。
【０２０５】
そして、走査電極ＳＣ１〜走査電極ＳＣｎには、電圧Ｖｓよりも低い電圧Ｖｑから負の電圧Ｖｉ３まで緩やかに下降する下り傾斜波形電圧を印加する。
【０２０６】
このように、本実施の形態では、サブフィールドＳＦ１の初期化期間の後半部において、走査電極ＳＣ１〜走査電極ＳＣｎに下り傾斜波形電圧を印加する直前に、データ電極Ｄ１〜データ電極Ｄｍの電位を、高電位である電圧Ｖｄから低電位である電圧０（Ｖ）に低下させる。
【０２０７】
このとき、維持電極ＳＵ１〜維持電極ＳＵｎの電位を、図７に示すように高電位である電圧Ｖｓから低電位である電圧Ｖｅに低下させてもよい。あるいは、図８に示すように、維持電極ＳＵ１〜維持電極ＳＵｎの電位を低下させるのではなく、電圧０（Ｖ）から電圧Ｖｓに変異する電圧を印加する構成であってもよい。いずれによっても、走査電極ＳＣ１〜走査電極ＳＣｎに印加する下り傾斜波形電圧の開始電圧を、電圧Ｖｓから電圧Ｖｓよりも低い電圧に下げることができる。
【０２０８】
図９は、本発明の実施の形態２におけるプラズマディスプレイ装置３０の初期化期間における駆動回路の動作を説明するためのタイミングチャートである。
【０２０９】
図９には、走査電極ＳＣ１〜走査電極ＳＣｎに印加する駆動電圧波形、維持電極ＳＵ１〜維持電極ＳＵｎに印加する駆動電圧波形、およびデータ電極Ｄ１〜データ電極Ｄｍに印加する駆動電圧波形を示す。
【０２１０】
なお、図９は、図７に示した駆動電圧波形を発生するときのタイミングチャートである。
【０２１１】
なお、図９では、強制初期化動作を行う際に発生する電圧波形を期間Ｔ１１、期間Ｔ１２、期間Ｔ１３で示す３つの期間に分割し、それぞれの期間について説明するが、各期間において、走査電極駆動回路３３および維持電極駆動回路３４は、図６で説明した動作と同じ動作をするものとする。したがって、本実施の形態では、走査電極駆動回路３３および維持電極駆動回路３４の動作については説明を省略し、データ電極駆動回路３２の動作について説明する。
【０２１２】
（期間Ｔ１１）
時刻ｔ１で、データ電極駆動回路３２のスイッチング素子Ｑ７１はオンにし、スイッチング素子Ｑ７２はオフにして、データ電極Ｄ１〜データ電極Ｄｍに電圧Ｖｄを印加する。
【０２１３】
（期間Ｔ１２）
期間Ｔ１１に引き続き、データ電極駆動回路３２のスイッチング素子Ｑ７１はオンにし、スイッチング素子Ｑ７２はオフにして、データ電極Ｄ１〜データ電極Ｄｍに電圧Ｖｄを印加する。
【０２１４】
次に、時刻ｔ７において、データ電極Ｄ１〜データ電極Ｄｍに高電位から低電位に変化する電圧波形を印加する。具体的には、データ電極駆動回路３２のスイッチング素子Ｑ７１をオフにし、スイッチング素子Ｑ７２をオンにして、データ電極Ｄ１〜データ電極Ｄｍに電圧０（Ｖ）を印加する。したがって、時刻ｔ７において、データ電極Ｄ１〜データ電極Ｄｍの電位は、高電位である電圧Ｖｄから低電位である電圧０（Ｖ）に低下する。
【０２１５】
このとき、走査電極ＳＣ１〜走査電極ＳＣｎはハイインピーダンス状態であるため、データ電極Ｄ１〜データ電極Ｄｍの電位が低下すると、走査電極ＳＣ１〜走査電極ＳＣｎとデータ電極Ｄ１〜データ電極Ｄｍの間に形成される電極間容量Ｃｐｄを介して走査電極ＳＣ１〜走査電極ＳＣｎの電位も低下する。
【０２１６】
また、実施の形態１で説明したように、時刻ｔ７で維持電極ＳＵ１〜維持電極ＳＵｎの電位が電圧Ｖｓから電圧Ｖｅまで低下するので、走査電極ＳＣ１〜走査電極ＳＣｎと維持電極ＳＵ１〜維持電極ＳＵｎの間に形成される電極間容量Ｃｐを介して、走査電極ＳＣ１〜走査電極ＳＣｎの電位は低下する。
【０２１７】
このときの低下電圧は、電極間容量Ｃｐと電極間容量Ｃｐｄとの分圧により決まる。走査電極ＳＣ１〜走査電極ＳＣｎの電位は、理想的には、電力を実質的に消費することなく、以下の式による分だけ低下する。
（Ｖｓ−Ｖｅ）×Ｃｐ／（Ｃｐ＋Ｃｐｄ）＋Ｖｄ×Ｃｐｄ／（Ｃｐ＋Ｃｐｄ）
なお、維持電極ＳＵ１〜維持電極ＳＵｎの電位は高電位から低電位に下げず、データ電極Ｄ１〜データ電極Ｄｍの電位だけを高電位から低電位に下げるときのこのときの低下電圧は、以下の式のようになる。
Ｖｄ×Ｃｐｄ／（Ｃｐ＋Ｃｐｄ）
期間Ｔ１３については、図６を用いて説明した動作と同様の動作であるため説明を省略する。
【０２１８】
これにより、走査電極ＳＣ１〜走査電極ＳＣｎに下り傾斜波形電圧を印加するときの開始電圧を、電圧Ｖｓから（Ｖｓ−Ｖｅ）×Ｃｐ／（Ｃｐ＋Ｃｐｄ）＋Ｖｄ×Ｃｐｄ／（Ｃｐ＋Ｃｐｄ）の分だけ低下することができる。すなわち、電圧Ｖｓから（Ｖｓ−Ｖｅ）×Ｃｐ／（Ｃｐ＋Ｃｐｄ）＋Ｖｄ×Ｃｐｄ／（Ｃｐ＋Ｃｐｄ）の分だけ低下した電圧から、第２の傾斜波形電圧発生部５６の動作を開始することができる。
【０２１９】
したがって、上述した期間Ｔ１２を設けずに電圧Ｖｓを下り傾斜波形電圧の開始電圧とする従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２２０】
例えば、電圧Ｖｓ＝２００（Ｖ）、電圧Ｖｅ＝１２０（Ｖ）、電圧Ｖｄ＝６０（Ｖ）であり、電極間容量Ｃｐと電極間容量Ｃｐｄとが３：１の比率であれば、下り傾斜波形電圧の開始電圧は以下の分だけ電圧Ｖｓから低下する。
（Ｖｓ−Ｖｅ）×Ｃｐ／（Ｃｐ＋Ｃｐｄ）＋Ｖｄ×Ｃｐｄ／（Ｃｐ＋Ｃｐｄ）
＝（２００−１２０）×３／（３＋１）＋６０×１／（３＋１）
＝８０×３／４＋６０×１／４
＝７５
したがって、この場合では、電圧Ｖｓから７５（Ｖ）だけ電圧が低下した電圧１２５（Ｖ）が下り傾斜波形電圧の開始電圧となる。したがって、第２の傾斜波形電圧発生部５６は、電圧１２５（Ｖ）から電圧Ｖｉ３（例えば、電圧−２００（Ｖ））まで下降する下り傾斜波形電圧を発生すればよくなる。そのため、電圧Ｖｓ（例えば、電圧２００（Ｖ））から電圧Ｖｉ３（例えば、電圧−２００（Ｖ））まで下降する下り傾斜波形電圧を発生するときと比較して、消費電力を低減することができる。
【０２２１】
なお、図８に示した駆動電圧波形を発生するときのタイミングチャートに関しては説明を省略するが、図８に示した駆動電圧波形を発生するときには、期間Ｔ１２において、維持電極ＳＵ１〜維持電極ＳＵｎの印加電圧を電圧０（Ｖ）に維持すればよい。
【０２２２】
以上示したように、本発明の実施の形態においては、走査電極ＳＣ１〜走査電極ＳＣｎに下り傾斜波形電圧を印加する直前に、走査電極ＳＣ１〜走査電極ＳＣｎをハイインピーダンス状態にするとともに、維持電極ＳＵ１〜維持電極ＳＵｎ、およびデータ電極Ｄ１〜データ電極Ｄｍの電圧を低下させる。
【０２２３】
または、走査電極ＳＣ１〜走査電極ＳＣｎに下り傾斜波形電圧を印加する直前に、走査電極ＳＣ１〜走査電極ＳＣｎをハイインピーダンス状態にするとともに、データ電極Ｄ１〜データ電極Ｄｍの電圧を低下させる。
【０２２４】
これにより、走査電極ＳＣ１〜走査電極ＳＣｎに印加する下り傾斜波形電圧の開始電圧を低下させることができ、従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２２５】
これにより、例えば、定格値が相対的に低い半導体素子を用いて第２の傾斜波形電圧発生部５６を構成することが可能となる。
【０２２６】
（実施の形態３）
本実施の形態では、維持期間、消去期間、および選択初期化サブフィールド（本実施の形態では、サブフィールドＳＦ２以降のサブフィールド）の初期化期間（選択初期化期間）に走査電極ＳＣ１〜走査電極ＳＣｎおよび維持電極ＳＵ１〜維持電極ＳＵｎに印加する駆動電圧波形を発生する際の駆動回路の動作について説明する。
【０２２７】
なお、本実施の形態におけるプラズマディスプレイ装置の構成は実施の形態１に示したプラズマディスプレイ装置３０の構成と同じであり、本実施の形態における１フィールドの構成も実施の形態１に示した１フィールドの構成と同じである。したがって、本実施の形態では、それらの説明は省略する。
【０２２８】
図１０は、本発明の実施の形態３におけるプラズマディスプレイ装置の消去期間および初期化期間における駆動回路の動作を説明するためのタイミングチャートである。
【０２２９】
図１０には、走査電極ＳＣ１〜走査電極ＳＣｎに印加する駆動電圧波形、および維持電極ＳＵ１〜維持電極ＳＵｎに印加する駆動電圧波形を示す。なお、この図面では、維持期間の最後に発生する電圧波形を期間Ｔ２１、期間Ｔ２２で示す２つの期間に分割し、消去期間に発生する電圧波形を期間Ｔ２３、期間Ｔ２４で示す２つの期間に分割し、選択初期化期間において選択初期化動作を行う際に発生する電圧波形を期間Ｔ２５、期間Ｔ２６で示す２つの期間に分割し、それぞれの期間について説明する。
【０２３０】
維持期間では、スイッチング素子Ｑ５５、スイッチング素子Ｑ５６、スイッチング素子Ｑ５７、スイッチング素子Ｑ６５、およびスイッチング素子Ｑ６６はオフに維持し、スイッチング素子Ｑ５８はオンに維持する。また、スイッチング素子Ｑ５Ｈ１〜スイッチング素子Ｑ５Ｈｎはオフに維持し、スイッチング素子Ｑ５Ｌ１〜スイッチング素子Ｑ５Ｌｎはオンに維持して、走査電極ＳＣ１〜走査電極ＳＣｎに節点Ｐ５９の電圧を印加する。
【０２３１】
（期間Ｔ２１）
期間Ｔ２１では、時刻ｔ１０において、スイッチング素子Ｑ６２およびスイッチング素子Ｑ６４はオンであり、スイッチング素子Ｑ６１およびスイッチング素子Ｑ６３はオフである。したがって、維持電極ＳＵ１〜維持電極ＳＵｎの電圧は、電圧０（Ｖ）にクランプされる。
【０２３２】
また、時刻ｔ１０では、スイッチング素子Ｑ５１をオンにし、スイッチング素子Ｑ５２、スイッチング素子Ｑ５３、およびスイッチング素子Ｑ５４をオフにする。これにより、インダクタＬ５１と電極間容量ＣｐとがＬＣ共振し、コンデンサＣ５１に蓄えられた電荷が、スイッチング素子Ｑ５１、ダイオードＤｉ５１、インダクタＬ５１、スイッチング素子Ｑ５８、およびスイッチング素子Ｑ５Ｌ１〜スイッチング素子Ｑ５Ｌｎを介して電極間容量Ｃｐに移動する。こうして、走査電極ＳＣ１〜走査電極ＳＣｎの電圧が電圧０（Ｖ）から電圧Ｖｓに向かって上昇し始める。
【０２３３】
走査電極ＳＣ１〜走査電極ＳＣｎの電圧が電圧Ｖｓ付近まで上昇する時刻ｔ１１において、第１のクランプ部５３のスイッチング素子Ｑ５３をオンにする。これにより、走査電極ＳＣ１〜走査電極ＳＣｎは電圧Ｖｓにクランプされる。
【０２３４】
放電セルにて維持放電が発生した後の時刻ｔ１２において、維持パルス発生部５０の第１の電力回収部５１のスイッチング素子Ｑ５１と第１のクランプ部５３のスイッチング素子Ｑ５３をオフにし、第１の電力回収部５１のスイッチング素子Ｑ５２をオンにする。これにより、インダクタＬ５１と電極間容量ＣｐとがＬＣ共振し、電極間容量Ｃｐに蓄えられた電荷が、スイッチング素子Ｑ５Ｌ１〜スイッチング素子Ｑ５Ｌｎ、スイッチング素子Ｑ５８、インダクタＬ５１、ダイオードＤｉ５２およびスイッチング素子Ｑ５２を介してコンデンサＣ５１に回収される。こうして、走査電極ＳＣ１〜走査電極ＳＣｎの電圧が電圧Ｖｓから電圧０（Ｖ）に向かって下降し始める。
【０２３５】
（期間Ｔ２２）
走査電極ＳＣ１〜走査電極ＳＣｎの電圧が電圧０（Ｖ）付近まで下降する時刻ｔ１３において、第１のクランプ部５３のスイッチング素子Ｑ５４をオンにする。これにより、走査電極ＳＣ１〜走査電極ＳＣｎは電圧０（Ｖ）にクランプされる。
【０２３６】
また、時刻ｔ１３では、第２の電力回収部６１のスイッチング素子Ｑ６１をオンにし、第２の電力回収部６１のスイッチング素子Ｑ６２および第２のクランプ部６３のスイッチング素子Ｑ６４をオフにする。これにより、インダクタＬ６１と電極間容量ＣｐとがＬＣ共振し、コンデンサＣ６１に蓄えられた電荷が、スイッチング素子Ｑ６１、ダイオードＤｉ６１、およびインダクタＬ６１を介して電極間容量Ｃｐに移動する。こうして、維持電極ＳＵ１〜維持電極ＳＵｎの電圧が電圧０（Ｖ）から電圧Ｖｓに向かって上昇し始める。
【０２３７】
維持電極ＳＵ１〜維持電極ＳＵｎの電圧が電圧Ｖｓ付近まで上昇する時刻ｔ１４において、第２のクランプ部６３のスイッチング素子Ｑ６３をオンにする。これにより、維持電極ＳＵ１〜維持電極ＳＵｎは電圧Ｖｓにクランプされる。
【０２３８】
放電セルにて維持放電が発生した後の時刻ｔ１５において、維持パルス発生部６０の第２の電力回収部６１のスイッチング素子Ｑ６１および第２のクランプ部６３のスイッチング素子Ｑ６３をオフにし、基準電位設定部６５のスイッチング素子Ｑ６５およびスイッチング素子Ｑ６６をオンにする。これにより維持電極ＳＵ１〜維持電極ＳＵｎは、電圧Ｖｓよりも低い電圧Ｖｅにクランプされる。
【０２３９】
（期間Ｔ２３）
次に、時刻ｔ１６において、走査電極駆動回路３３の維持パルス発生部５０の第１の電力回収部５１のスイッチング素子Ｑ５２、第１のクランプ部５３のスイッチング素子Ｑ５４、および分離部５８のスイッチング素子Ｑ５８をオフにする。これにより、走査電極ＳＣ１〜走査電極ＳＣｎをハイインピーダンス状態にする。
【０２４０】
そして、維持電極ＳＵ１〜維持電極ＳＵｎに高電位から低電位に変化する電圧波形を印加する。具体的には、維持電極駆動回路３４の基準電位設定部６５のスイッチング素子Ｑ６５およびスイッチング素子Ｑ６６をオフにし、維持パルス発生部６０の第２のクランプ部６３のスイッチング素子Ｑ６４をオンにする。これにより、維持電極ＳＵ１〜維持電極ＳＵｎの電位は、高電位である電圧Ｖｅから低電位である電圧０（Ｖ）に低下する。
【０２４１】
このとき、走査電極ＳＣ１〜走査電極ＳＣｎはハイインピーダンス状態であるため、維持電極ＳＵ１〜維持電極ＳＵｎの電位が低下すると、走査電極ＳＣ１〜走査電極ＳＣｎと維持電極ＳＵ１〜維持電極ＳＵｎの間に形成される電極間容量Ｃｐを介して、走査電極ＳＣ１〜走査電極ＳＣｎの電位も低下する。
【０２４２】
このときの低下電圧は、走査電極ＳＣ１〜走査電極ＳＣｎと維持電極ＳＵ１〜維持電極ＳＵｎとの間に形成される電極間容量Ｃｐと、走査電極ＳＣ１〜走査電極ＳＣｎとデータ電極Ｄ１〜データ電極Ｄｍ間に形成される電極間容量Ｃｐｄとの分圧により決まる。走査電極ＳＣ１〜走査電極ＳＣｎの電位は、理想的には、電力を実質的に消費することなく、以下の式による分だけ低下する。
Ｖｅ×Ｃｐ／（Ｃｐ＋Ｃｐｄ）
時刻ｔ１７にて、第２の傾斜波形電圧発生部５６の抵抗Ｒ５６に電圧を印加し、コンデンサＣ５６に向かって一定の電流を流す。これにより、スイッチング素子Ｑ５６はオンになり、スイッチング素子Ｑ５６のドレイン電圧は、電圧０（Ｖ）から負の電圧Ｖｉ３に向かってランプ状に下降し、走査電極駆動回路３３の出力電圧も負の電圧Ｖｉ３に向かってランプ状に下降し始める。このとき、傾斜波形電圧の勾配が所望の値（例えば、−１．５Ｖ／μｓｅｃ）になるように、抵抗Ｒ５６に印加する電圧を調整する。
【０２４３】
こうして、電圧０（Ｖ）から上述の式による電圧だけ電圧降下した電圧から、負の電圧Ｖｉ３に向かって下降する下り傾斜波形電圧を発生する。なお、この電圧下降は、抵抗Ｒ５６に電圧を印加している期間、もしくは、節点Ｐ５９の電圧が電圧Ｖｉ３に到達するまで継続する。
【０２４４】
期間Ｔ２３では、このようにして発生した下り傾斜波形電圧を走査電極ＳＣ１〜走査電極ＳＣｎに印加する。
【０２４５】
走査電極ＳＣ１〜走査電極ＳＣｎの電圧が電圧Ｖｉ３に到達した後の時刻ｔ１８において、走査パルス発生部５９のスイッチング素子Ｑ５Ｌ１〜スイッチング素子Ｑ５Ｌｎをオフにし、スイッチング素子Ｑ５Ｈ１〜スイッチング素子Ｑ５Ｈｎをオンにする。これにより、走査電極ＳＣ１〜走査電極ＳＣｎの電圧は電圧Ｖｉ３から、負の電圧Ｖｉ３に電圧Ｖｑを重畳した電圧（Ｖｉ３＋電圧Ｖｑ）まで上昇する。
【０２４６】
時刻ｔ１９において、走査パルス発生部５９のスイッチング素子Ｑ５Ｈ１〜スイッチング素子Ｑ５Ｈｎをオフにし、スイッチング素子Ｑ５Ｌ１〜スイッチング素子Ｑ５Ｌｎをオンにする。また、第２の傾斜波形電圧発生部５６のスイッチング素子Ｑ５６をオフにし、維持パルス発生部５０の第１のクランプ部５３のスイッチング素子Ｑ５４および分離部５８のスイッチング素子Ｑ５８をオンにする。これにより、走査電極ＳＣ１〜走査電極ＳＣｎは電圧０（Ｖ）にクランプされる。
【０２４７】
このように、本実施の形態では、消去期間において、走査電極ＳＣ１〜走査電極ＳＣｎに下り傾斜波形電圧を印加するときの開始電圧を、電圧０（Ｖ）からＶｅ×Ｃｐ／（Ｃｐ＋Ｃｐｄ）の分だけ低下することができる。すなわち、電圧０（Ｖ）からＶｅ×Ｃｐ／（Ｃｐ＋Ｃｐｄ）の分だけ低下した電圧から、第２の傾斜波形電圧発生部５６の動作を開始することができる。
【０２４８】
したがって、電圧０（Ｖ）を下り傾斜波形電圧の開始電圧とする従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２４９】
例えば、電圧Ｖｓ＝２００（Ｖ）、電圧Ｖｅ＝１２０（Ｖ）であり、電極間容量Ｃｐと電極間容量Ｃｐｄとが３：１の比率であれば、下り傾斜波形電圧の開始電圧は以下の分だけ電圧Ｖｓから低下する。
Ｖｅ×Ｃｐ／（Ｃｐ＋Ｃｐｄ）
＝１２０×３／（３＋１）
＝１２０×３／４
＝９０
したがって、この場合では、電圧０（Ｖ）から９０（Ｖ）だけ電圧が低下した電圧−９０（Ｖ）が下り傾斜波形電圧の開始電圧となる。したがって、第２の傾斜波形電圧発生部５６は、電圧−９０（Ｖ）から電圧Ｖｉ３（例えば、電圧−２００（Ｖ））まで下降する下り傾斜波形電圧を発生すればよくなる。そのため、電圧０（Ｖ）から電圧Ｖｉ３（例えば、電圧−２００（Ｖ））まで下降する下り傾斜波形電圧を発生するときと比較して、消費電力を低減することができる。
【０２５０】
（期間Ｔ２４）
時刻ｔ２０において、維持パルス発生部５０の第１のクランプ部５３のスイッチング素子Ｑ５４をオフにし、節点Ｐ５９の電圧をハイインピーダンス状態にする。
【０２５１】
次に、第１の傾斜波形電圧発生部５５の抵抗Ｒ５５に電圧を印加し、コンデンサＣ５５に向かって一定の電流を流す。これにより、スイッチング素子Ｑ５５はオンになり、スイッチング素子Ｑ５５のソース電圧は電圧０（Ｖ）からランプ状に上昇し、走査電極駆動回路３３の出力電圧は、電圧Ｖｑからランプ状に上昇し始める。このとき、傾斜波形電圧の勾配が所望の値（例えば、１０Ｖ／μｓｅｃ）になるように、抵抗Ｒ５５に印加する電圧を調整する。
【０２５２】
こうして、電圧０（Ｖ）から電圧Ｖｒに向かって上昇する上り傾斜波形電圧を発生する。なお、この電圧上昇は、抵抗Ｒ５５に電圧を印加している期間、もしくは、節点Ｐ５９の電圧が電圧Ｖｒに到達するまで継続する。
【０２５３】
期間Ｔ２４では、このようにして、電圧０（Ｖ）から放電開始電圧を超える電圧Ｖｒに向かって緩やかに上昇する上り傾斜波形電圧を発生し、走査電極ＳＣ１〜走査電極ＳＣｎに印加する。
【０２５４】
走査電極ＳＣ１〜走査電極ＳＣｎに印加する電圧が電圧Ｖｒに到達した後の時刻ｔ２１において、第１の傾斜波形電圧発生部５５のスイッチング素子Ｑ５５をオフにする。
【０２５５】
そして、維持パルス発生部５０の第１の電力回収部５１のスイッチング素子Ｑ５２をオンにする。これにより、インダクタＬ５１と電極間容量ＣｐとがＬＣ共振し、電極間容量Ｃｐに蓄えられた電荷が、スイッチング素子Ｑ５Ｌ１〜スイッチング素子Ｑ５Ｌｎ、スイッチング素子Ｑ５８、インダクタＬ５１、ダイオードＤｉ５２およびスイッチング素子Ｑ５２を介してコンデンサＣ５１に回収される。こうして、走査電極ＳＣ１〜走査電極ＳＣｎの電圧が電圧Ｖｒから電圧０（Ｖ）に向かって下降し始める。
【０２５６】
走査電極ＳＣ１〜走査電極ＳＣｎの電圧が電圧０（Ｖ）付近まで下降する時刻ｔ２２において、第１のクランプ部５３のスイッチング素子Ｑ５４をオンにする。これにより、走査電極ＳＣ１〜走査電極ＳＣｎは電圧０（Ｖ）にクランプされる。
【０２５７】
（期間Ｔ２５）
時刻ｔ２３では、維持電極駆動回路３４の維持パルス発生部６０の第２のクランプ部６３のスイッチング素子Ｑ６４をオフにし、第２の電力回収部６１のスイッチング素子Ｑ６１をオンにする。これにより、インダクタＬ６１と電極間容量ＣｐとがＬＣ共振し、コンデンサＣ６１に蓄えられた電荷が、スイッチング素子Ｑ６１、ダイオードＤｉ６１、およびインダクタＬ６１を介して電極間容量Ｃｐに移動する。こうして、維持電極ＳＵ１〜維持電極ＳＵｎの電圧が電圧０（Ｖ）から電圧Ｖｓに向かって上昇し始める。
【０２５８】
維持電極ＳＵ１〜維持電極ＳＵｎの電圧が電圧Ｖｓ付近まで上昇する時刻ｔ２４において、維持パルス発生部６０の第２のクランプ部６３のスイッチング素子Ｑ６３をオンにする。これにより、維持電極ＳＵ１〜維持電極ＳＵｎは電圧Ｖｓにクランプされる。
【０２５９】
次に、時刻ｔ２５において、走査電極駆動回路３３の維持パルス発生部５０の第１の電力回収部５１のスイッチング素子Ｑ５２、第１のクランプ部５３のスイッチング素子Ｑ５４、および分離部５８のスイッチング素子Ｑ５８をオフにする。これにより、走査電極ＳＣ１〜走査電極ＳＣｎをハイインピーダンス状態にする。
【０２６０】
そして、維持電極ＳＵ１〜維持電極ＳＵｎに高電位から低電位に変化する電圧波形を印加する。具体的には、維持電極駆動回路３４の維持パルス発生部６０の第２の電力回収部６１のスイッチング素子Ｑ６１および第２のクランプ部６３のスイッチング素子Ｑ６３をオフにし、基準電位設定部６５のスイッチング素子Ｑ６５およびスイッチング素子Ｑ６６をオンにする。これにより、維持電極ＳＵ１〜維持電極ＳＵｎの電位は、高電位である電圧Ｖｓから低電位である電圧Ｖｅに低下する。
【０２６１】
このとき、走査電極ＳＣ１〜走査電極ＳＣｎはハイインピーダンス状態であるため、維持電極ＳＵ１〜維持電極ＳＵｎの電位が低下すると、走査電極ＳＣ１〜走査電極ＳＣｎと維持電極ＳＵ１〜維持電極ＳＵｎの間に形成される電極間容量Ｃｐを介して、走査電極ＳＣ１〜走査電極ＳＣｎの電位も低下する。
【０２６２】
このときの低下電圧は、走査電極ＳＣ１〜走査電極ＳＣｎと維持電極ＳＵ１〜維持電極ＳＵｎとの間に形成される電極間容量Ｃｐと、走査電極ＳＣ１〜走査電極ＳＣｎとデータ電極Ｄ１〜データ電極Ｄｍ間に形成される電極間容量Ｃｐｄとの分圧により決まる。走査電極ＳＣ１〜走査電極ＳＣｎの電位は、理想的には、電力を実質的に消費することなく、以下の式による分だけ低下する。
（Ｖｓ−Ｖｅ）×Ｃｐ／（Ｃｐ＋Ｃｐｄ）
（期間Ｔ２６）
時刻ｔ２６にて、第２の傾斜波形電圧発生部５６の抵抗Ｒ５６に電圧を印加し、コンデンサＣ５６に向かって一定の電流を流す。これにより、スイッチング素子Ｑ５６はオンになり、スイッチング素子Ｑ５６のドレイン電圧は、電圧０（Ｖ）から負の電圧Ｖｉ３に向かってランプ状に下降し、走査電極駆動回路３３の出力電圧も負の電圧Ｖｉ３に向かってランプ状に下降し始める。このとき、傾斜波形電圧の勾配が所望の値（例えば、−１．５Ｖ／μｓｅｃ）になるように、抵抗Ｒ５６に印加する電圧を調整する。
【０２６３】
こうして、電圧０（Ｖ）から上述の式による電圧だけ電圧降下した電圧から、負の電圧Ｖｉ３に向かって下降する下り傾斜波形電圧を発生する。なお、この電圧下降は、抵抗Ｒ５６に電圧を印加している期間、もしくは、節点Ｐ５９の電圧が電圧Ｖｉ３に到達するまで継続する。
【０２６４】
期間Ｔ２６では、このようにして発生した下り傾斜波形電圧を走査電極ＳＣ１〜走査電極ＳＣｎに印加する。
【０２６５】
走査電極ＳＣ１〜走査電極ＳＣｎの電圧が電圧Ｖｉ３に到達した後の時刻ｔ２７において、走査パルス発生部５９のスイッチング素子Ｑ５Ｌ１〜スイッチング素子Ｑ５Ｌｎをオフにし、スイッチング素子Ｑ５Ｈ１〜スイッチング素子Ｑ５Ｈｎをオンにする。これにより、走査電極ＳＣ１〜走査電極ＳＣｎの電圧は電圧Ｖｉ３から、負の電圧Ｖｉ３に電圧Ｖｑを重畳した電圧（Ｖｉ３＋電圧Ｖｑ）まで上昇する。
【０２６６】
このように、本実施の形態では、選択初期化期間において、走査電極ＳＣ１〜走査電極ＳＣｎに下り傾斜波形電圧を印加するときの開始電圧を、電圧０（Ｖ）から（Ｖｓ−Ｖｅ）×Ｃｐ／（Ｃｐ＋Ｃｐｄ）の分だけ低下することができる。すなわち、電圧０（Ｖ）から（Ｖｓ−Ｖｅ）×Ｃｐ／（Ｃｐ＋Ｃｐｄ）の分だけ低下した電圧から、第２の傾斜波形電圧発生部５６の動作を開始することができる。
【０２６７】
したがって、電圧０（Ｖ）を下り傾斜波形電圧の開始電圧とする従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２６８】
例えば、電圧Ｖｓ＝２００（Ｖ）、電圧Ｖｅ＝１２０（Ｖ）であり、電極間容量Ｃｐと電極間容量Ｃｐｄとが３：１の比率であれば、下り傾斜波形電圧の開始電圧は以下の分だけ電圧Ｖｓから低下する。
（Ｖｓ−Ｖｅ）×Ｃｐ／（Ｃｐ＋Ｃｐｄ）
＝（２００−１２０）×３／（３＋１）
＝８０×３／４
＝６０
したがって、この場合では、電圧０（Ｖ）から６０（Ｖ）だけ電圧が低下した電圧−６０（Ｖ）が下り傾斜波形電圧の開始電圧となる。したがって、第２の傾斜波形電圧発生部５６は、電圧−６０（Ｖ）から電圧Ｖｉ３（例えば、電圧−２００（Ｖ））まで下降する下り傾斜波形電圧を発生すればよくなる。そのため、電圧０（Ｖ）から電圧Ｖｉ３（例えば、電圧−２００（Ｖ））まで下降する下り傾斜波形電圧を発生するときと比較して、消費電力を低減することができる。
【０２６９】
以上示したように、本発明の実施の形態においては、走査電極ＳＣ１〜走査電極ＳＣｎに下り傾斜波形電圧を印加する直前に、走査電極ＳＣ１〜走査電極ＳＣｎをハイインピーダンス状態にするとともに、維持電極ＳＵ１〜維持電極ＳＵｎの電圧を低下させる。これにより、走査電極ＳＣ１〜走査電極ＳＣｎに印加する下り傾斜波形電圧の開始電圧を低下させることができ、従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２７０】
これにより、例えば、定格値が相対的に低い半導体素子を用いて第２の傾斜波形電圧発生部５６を構成することが可能となる。
【０２７１】
（実施の形態４）
実施の形態３では、維持期間、消去期間、および選択初期化サブフィールド（本実施の形態では、サブフィールドＳＦ２以降のサブフィールド）の初期化期間（選択初期化期間）に走査電極ＳＣ１〜走査電極ＳＣｎおよび維持電極ＳＵ１〜維持電極ＳＵｎに印加する駆動電圧波形を発生する際の駆動回路の動作について説明した。本実施の形態では、維持期間、消去期間、および選択初期化サブフィールド（本実施の形態では、サブフィールドＳＦ２以降のサブフィールド）の初期化期間（選択初期化期間）にデータ電極Ｄ１〜データ電極Ｄｍに印加する駆動電圧波形を発生する際の駆動回路の動作について説明する。
【０２７２】
なお、本実施の形態におけるプラズマディスプレイ装置の構成は実施の形態１に示したプラズマディスプレイ装置３０の構成と同じであり、本実施の形態における１フィールドの構成も実施の形態１に示した１フィールドの構成と同じである。したがって、本実施の形態では、それらの説明は省略する。
【０２７３】
図１１は、本発明の実施の形態４におけるプラズマディスプレイ装置３０の初期化期間における駆動回路の動作を説明するためのタイミングチャートである。
【０２７４】
図１１には、走査電極ＳＣ１〜走査電極ＳＣｎに印加する駆動電圧波形、維持電極ＳＵ１〜維持電極ＳＵｎに印加する駆動電圧波形、およびデータ電極Ｄ１〜データ電極Ｄｍに印加する駆動電圧波形を示す。
【０２７５】
なお、図１１では、維持期間の最後に発生する電圧波形を期間Ｔ２１、期間Ｔ２２で示す２つの期間に分割し、消去期間に発生する電圧波形を期間Ｔ２３、期間Ｔ２４で示す２つの期間に分割し、選択初期化期間において選択初期化動作を行う際に発生する電圧波形を期間Ｔ２５、期間Ｔ２６で示す２つの期間に分割し、それぞれの期間について説明するが、各期間において、走査電極駆動回路３３および維持電極駆動回路３４は、図１０で説明した動作と同じ動作をするものとする。したがって、本実施の形態では、走査電極駆動回路３３および維持電極駆動回路３４の動作については説明を省略し、データ電極駆動回路３２の動作について説明する。
【０２７６】
（期間Ｔ２１）
期間Ｔ２１では、データ電極駆動回路３２のスイッチング素子Ｑ７１はオフにし、スイッチング素子Ｑ７２はオンにして、データ電極Ｄ１〜データ電極Ｄｍに電圧０（Ｖ）を印加する。
【０２７７】
（期間Ｔ２２）
期間Ｔ２１に引き続き、データ電極駆動回路３２のスイッチング素子Ｑ７１はオフにし、スイッチング素子Ｑ７２はオンにして、データ電極Ｄ１〜データ電極Ｄｍに電圧０（Ｖ）を印加する。
【０２７８】
時刻ｔ１５の直前に、データ電極駆動回路３２のスイッチング素子Ｑ７１をオンにし、スイッチング素子Ｑ７２をオフにして、データ電極Ｄ１〜データ電極Ｄｍに電圧Ｖｄを印加する。
【０２７９】
次に、時刻ｔ１６において、データ電極Ｄ１〜データ電極Ｄｍに高電位から低電位に変化する電圧波形を印加する。具体的には、データ電極駆動回路３２のスイッチング素子Ｑ７１をオフにし、スイッチング素子Ｑ７２をオンにして、データ電極Ｄ１〜データ電極Ｄｍに電圧０（Ｖ）を印加する。したがって、時刻ｔ１６において、データ電極Ｄ１〜データ電極Ｄｍの電位は、高電位である電圧Ｖｄから低電位である電圧０（Ｖ）に低下する。
【０２８０】
このとき、走査電極ＳＣ１〜走査電極ＳＣｎはハイインピーダンス状態であるため、データ電極Ｄ１〜データ電極Ｄｍの電位が低下すると、走査電極ＳＣ１〜走査電極ＳＣｎとデータ電極Ｄ１〜データ電極Ｄｍの間に形成される電極間容量Ｃｐｄを介して走査電極ＳＣ１〜走査電極ＳＣｎの電位が低下する。
【０２８１】
また、実施の形態３で説明したように、時刻ｔ１６で維持電極ＳＵ１〜維持電極ＳＵｎの電位が電圧Ｖｅから電圧０（Ｖ）まで低下するので、走査電極ＳＣ１〜走査電極ＳＣｎと維持電極ＳＵ１〜維持電極ＳＵｎの間に形成される電極間容量Ｃｐを介して、走査電極ＳＣ１〜走査電極ＳＣｎの電位は低下する。
【０２８２】
このときの低下電圧は、電極間容量Ｃｐと電極間容量Ｃｐｄとの分圧により決まる。走査電極ＳＣ１〜走査電極ＳＣｎの電位は、理想的には、電力を実質的に消費することなく、以下の式による分だけ低下する。
Ｖｅ×Ｃｐ／（Ｃｐ＋Ｃｐｄ）＋Ｖｄ×Ｃｐｄ／（Ｃｐ＋Ｃｐｄ）
なお、維持電極ＳＵ１〜維持電極ＳＵｎの電位は高電位から低電位に下げず、データ電極Ｄ１〜データ電極Ｄｍの電位だけを高電位から低電位に下げるときのこのときの低下電圧は、以下の式のようになる。
Ｖｄ×Ｃｐｄ／（Ｃｐ＋Ｃｐｄ）
これにより、走査電極ＳＣ１〜走査電極ＳＣｎに下り傾斜波形電圧を印加するときの開始電圧を、電圧０（Ｖ）からＶｅ×Ｃｐ／（Ｃｐ＋Ｃｐｄ）＋Ｖｄ×Ｃｐｄ／（Ｃｐ＋Ｃｐｄ）の分だけ低下することができる。すなわち、電圧０（Ｖ）からＶｅ×Ｃｐ／（Ｃｐ＋Ｃｐｄ）＋Ｖｄ×Ｃｐｄ／（Ｃｐ＋Ｃｐｄ）の分だけ低下した電圧から、第２の傾斜波形電圧発生部５６の動作を開始することができる。
【０２８３】
したがって、電圧０（Ｖ）を下り傾斜波形電圧の開始電圧とする従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２８４】
例えば、電圧Ｖｓ＝２００（Ｖ）、電圧Ｖｅ＝１２０（Ｖ）、電圧Ｖｄ＝６０（Ｖ）であり、電極間容量Ｃｐと電極間容量Ｃｐｄとが３：１の比率であれば、下り傾斜波形電圧の開始電圧は以下の分だけ電圧Ｖｓから低下する。
Ｖｅ×Ｃｐ／（Ｃｐ＋Ｃｐｄ）＋Ｖｄ×Ｃｐｄ／（Ｃｐ＋Ｃｐｄ）
＝１２０×３／（３＋１）＋６０×１／（３＋１）
＝１２０×３／４＋６０×１／４
＝９０＋１５
＝１０５
したがって、この場合では、電圧０（Ｖ）から１０５（Ｖ）だけ電圧が低下した電圧−１０５（Ｖ）が下り傾斜波形電圧の開始電圧となる。したがって、第２の傾斜波形電圧発生部５６は、電圧−１０５（Ｖ）から電圧Ｖｉ３（例えば、電圧−２００（Ｖ））まで下降する下り傾斜波形電圧を発生すればよくなる。そのため、電圧０（Ｖ）から電圧Ｖｉ３（例えば、電圧−２００（Ｖ））まで下降する下り傾斜波形電圧を発生するときと比較して、消費電力を低減することができる。
【０２８５】
（期間Ｔ２３）
期間Ｔ２３では、データ電極駆動回路３２のスイッチング素子Ｑ７１はオフにし、スイッチング素子Ｑ７２はオンにして、データ電極Ｄ１〜データ電極Ｄｍに電圧０（Ｖ）を印加する。
【０２８６】
（期間Ｔ２４）
期間Ｔ２４では、期間Ｔ２３に引き続き、データ電極駆動回路３２のスイッチング素子Ｑ７１はオフにし、スイッチング素子Ｑ７２はオンにして、データ電極Ｄ１〜データ電極Ｄｍに電圧０（Ｖ）を印加する。
【０２８７】
（期間Ｔ２５）
期間Ｔ２４に引き続き、データ電極駆動回路３２のスイッチング素子Ｑ７１はオフにし、スイッチング素子Ｑ７２はオンにして、データ電極Ｄ１〜データ電極Ｄｍに電圧０（Ｖ）を印加する。
【０２８８】
時刻ｔ２４の直後に、データ電極駆動回路３２のスイッチング素子Ｑ７１をオンにし、スイッチング素子Ｑ７２をオフにして、データ電極Ｄ１〜データ電極Ｄｍに電圧Ｖｄを印加する。
【０２８９】
次に、時刻ｔ２５において、データ電極Ｄ１〜データ電極Ｄｍに高電位から低電位に変化する電圧波形を印加する。具体的には、データ電極駆動回路３２のスイッチング素子Ｑ７１をオフにし、スイッチング素子Ｑ７２をオンにして、データ電極Ｄ１〜データ電極Ｄｍに電圧０（Ｖ）を印加する。したがって、時刻ｔ２５において、データ電極Ｄ１〜データ電極Ｄｍの電位は、高電位である電圧Ｖｄから低電位である電圧０（Ｖ）に低下する。
【０２９０】
このとき、走査電極ＳＣ１〜走査電極ＳＣｎはハイインピーダンス状態であるため、データ電極Ｄ１〜データ電極Ｄｍの電位が低下すると、走査電極ＳＣ１〜走査電極ＳＣｎとデータ電極Ｄ１〜データ電極Ｄｍの間に形成される電極間容量Ｃｐｄを介して走査電極ＳＣ１〜走査電極ＳＣｎの電位が低下する。
【０２９１】
また、実施の形態３で説明したように、時刻ｔ２５で維持電極ＳＵ１〜維持電極ＳＵｎの電位が電圧Ｖｓから電圧Ｖｅまで低下するので、走査電極ＳＣ１〜走査電極ＳＣｎと維持電極ＳＵ１〜維持電極ＳＵｎの間に形成される電極間容量Ｃｐを介して、走査電極ＳＣ１〜走査電極ＳＣｎの電位は低下する。
【０２９２】
このときの低下電圧は、電極間容量Ｃｐと電極間容量Ｃｐｄとの分圧により決まる。走査電極ＳＣ１〜走査電極ＳＣｎの電位は、理想的には、電力を実質的に消費することなく、以下の式による分だけ低下する。
（Ｖｓ−Ｖｅ）×Ｃｐ／（Ｃｐ＋Ｃｐｄ）＋Ｖｄ×Ｃｐｄ／（Ｃｐ＋Ｃｐｄ）
これにより、走査電極ＳＣ１〜走査電極ＳＣｎに下り傾斜波形電圧を印加するときの開始電圧を、電圧０（Ｖ）から（Ｖｓ−Ｖｅ）×Ｃｐ／（Ｃｐ＋Ｃｐｄ）＋Ｖｄ×Ｃｐｄ／（Ｃｐ＋Ｃｐｄ）の分だけ低下することができる。すなわち、電圧０（Ｖ）から（Ｖｓ−Ｖｅ）×Ｃｐ／（Ｃｐ＋Ｃｐｄ）＋Ｖｄ×Ｃｐｄ／（Ｃｐ＋Ｃｐｄ）の分だけ低下した電圧から、第２の傾斜波形電圧発生部５６の動作を開始することができる。
【０２９３】
したがって、電圧０（Ｖ）を下り傾斜波形電圧の開始電圧とする従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２９４】
例えば、電圧Ｖｓ＝２００（Ｖ）、電圧Ｖｅ＝１２０（Ｖ）、電圧Ｖｄ＝６０（Ｖ）であり、電極間容量Ｃｐと電極間容量Ｃｐｄとが３：１の比率であれば、下り傾斜波形電圧の開始電圧は以下の分だけ電圧Ｖｓから低下する。
（Ｖｓ−Ｖｅ）×Ｃｐ／（Ｃｐ＋Ｃｐｄ）＋Ｖｄ×Ｃｐｄ／（Ｃｐ＋Ｃｐｄ）
＝（２００−１２０）×３／（３＋１）＋６０×１／（３＋１）
＝８０×３／４＋６０×１／４
＝６０＋１５
＝７５
したがって、この場合では、電圧０(Ｖ)から７５（Ｖ）だけ電圧が低下した電圧−７５（Ｖ）が下り傾斜波形電圧の開始電圧となる。したがって、第２の傾斜波形電圧発生部５６は、電圧−７５（Ｖ）から電圧Ｖｉ３（例えば、電圧−２００（Ｖ））まで下降する下り傾斜波形電圧を発生すればよくなる。そのため、電圧０（Ｖ）から電圧Ｖｉ３（例えば、電圧−２００（Ｖ））まで下降する下り傾斜波形電圧を発生するときと比較して、消費電力を低減することができる。
【０２９５】
（期間Ｔ２６）
期間Ｔ２６では、データ電極駆動回路３２のスイッチング素子Ｑ７１はオフにし、スイッチング素子Ｑ７２はオンにして、データ電極Ｄ１〜データ電極Ｄｍに電圧０（Ｖ）を印加する。
【０２９６】
以上示したように、本発明の実施の形態においては、走査電極ＳＣ１〜走査電極ＳＣｎに下り傾斜波形電圧を印加する直前に、走査電極ＳＣ１〜走査電極ＳＣｎをハイインピーダンス状態にするとともに、維持電極ＳＵ１〜維持電極ＳＵｎおよびデータ電極Ｄ１〜データ電極Ｄｍの電圧を低下させる。
【０２９７】
または、走査電極ＳＣ１〜走査電極ＳＣｎに下り傾斜波形電圧を印加する直前に、走査電極ＳＣ１〜走査電極ＳＣｎをハイインピーダンス状態にするとともに、データ電極Ｄ１〜データ電極Ｄｍの電圧を低下させる。
【０２９８】
これにより、走査電極ＳＣ１〜走査電極ＳＣｎに印加する下り傾斜波形電圧の開始電圧を低下させることができ、従来技術と比較したときに、下り傾斜波形電圧の勾配が同じであれば、負の電圧Ｖｉ３まで下降する下り傾斜波形電圧を発生するために第２の傾斜波形電圧発生部５６を動作させる時間を短縮することができる。これにより、スイッチング素子Ｑ５６における電力損失を低減することができ、第２の傾斜波形電圧発生部５６の消費電力を低減することができる。
【０２９９】
これにより、例えば、定格値が相対的に低い半導体素子を用いて第２の傾斜波形電圧発生部５６を構成することが可能となる。
【０３００】
なお、本発明の実施の形態においては、走査電極ＳＣ１〜走査電極ＳＣｎに下り傾斜波形電圧を印加する直前に、走査電極ＳＣ１〜走査電極ＳＣｎをハイインピーダンス状態にするとともに、維持電極ＳＵ１〜維持電極ＳＵｎに高電位から低電位に変化する電圧波形を印加することで走査電極ＳＣ１〜走査電極ＳＣｎと維持電極ＳＵ１〜維持電極ＳＵｎとの間に発生する電極間容量Ｃｐを介して走査電極ＳＣ１〜走査電極ＳＣｎの電位を低下させる。この走査電極ＳＣ１〜走査電極ＳＣｎの電位が低下するときに放電セルに放電が発生しないように、維持電極ＳＵ１〜維持電極ＳＵｎの電位変化を設定するものとする。
【０３０１】
また、本発明の実施の形態においては、走査電極ＳＣ１〜走査電極ＳＣｎに下り傾斜波形電圧を印加する直前に、走査電極ＳＣ１〜走査電極ＳＣｎをハイインピーダンス状態にするとともに、データ電極Ｄ１〜データ電極Ｄｍに高電位から低電位に変化する電圧波形を印加することで走査電極ＳＣ１〜走査電極ＳＣｎとデータ電極Ｄ１〜データ電極Ｄｍとの間に発生する電極間容量Ｃｐｄを介して走査電極ＳＣ１〜走査電極ＳＣｎの電位を低下させる。この走査電極ＳＣ１〜走査電極ＳＣｎの電位が低下するときに放電セルに放電が発生しないように、データ電極Ｄ１〜データ電極Ｄｍの電位変化を設定するものとする。
【０３０２】
なお、本発明は１フィールドを構成するサブフィールドの数、強制初期化サブフィールドとするサブフィールド、各サブフィールドが有する階調重み等が上述した数値に限定されるものではない。また、画像信号等にもとづいてサブフィールド構成を切り換える構成であってもよい。
【０３０３】
なお、図３、図６、図７、図８、図９、図１０、図１１に示した駆動電圧波形は本発明の実施の形態における一例を示したものに過ぎず、本発明は何らこの駆動電圧波形に限定されるものではない。
【０３０４】
また、図４、図５に示した回路構成も本発明の実施の形態における一例を示したものに過ぎず、本発明は何らこれらの回路構成に限定されるものではない。
【０３０５】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０３０６】
なお、本発明における実施の形態では、１つのフィールドを１０のサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。あるいは、サブフィールドの数をより少なくすることで、パネル１０の駆動に要する時間を短縮することができる。
【０３０７】
なお、本発明における実施の形態では、１画素を赤、緑、青の３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０３０８】
なお、本発明の実施の形態において示した具体的な数値は、画面サイズが５０インチ、表示電極対１４の数が１０２４のパネル１０の特性にもとづき設定したものであって、単に実施の形態における一例を示したものに過ぎない。本発明はこれらの数値に何ら限定されるものではなく、各数値はパネルの仕様やパネルの特性、およびプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの階調重み等も本発明における実施の形態に示した値に限定されるものではなく、また、画像信号等にもとづいてサブフィールド構成を切り換える構成であってもよい。
【産業上の利用可能性】
【０３０９】
本発明は、高精細度化された大画面のパネルであっても、消費電力の増大を抑制して安定した放電を発生することが可能であるので、パネルの駆動方法およびプラズマディスプレイ装置として有用である。
【符号の説明】
【０３１０】
１０    パネル
１１    前面基板
１２    走査電極
１３    維持電極
１４    表示電極対
１５，２３    誘電体層
１６    保護層
２１    背面基板
２２    データ電極
２４    隔壁
２５，２５Ｒ，２５Ｇ，２５Ｂ    蛍光体層
３０    プラズマディスプレイ装置
３１    画像信号処理回路
３２    データ電極駆動回路
３３    走査電極駆動回路
３４    維持電極駆動回路
３５    タイミング発生回路
５０    維持パルス発生部
５１    第１の電力回収部
５３    第１のクランプ部
５５    第１の傾斜波形電圧発生部
５６    第２の傾斜波形電圧発生部
５７    基準電位設定部
５８    分離部
５９    走査パルス発生部
６０    維持パルス発生部
６１    第２の電力回収部
６３    第２のクランプ部
６５    基準電位設定部
Ｃｐ，Ｃｐｄ    電極間容量
Ｑ５１，Ｑ５２，Ｑ５３，Ｑ５４，Ｑ５５，Ｑ５６，Ｑ５７，Ｑ５８，Ｑ６１，Ｑ６２，Ｑ６３，Ｑ６４，Ｑ６５，Ｑ６６，Ｑ５Ｈ１〜Ｑ５Ｈｎ，Ｑ５Ｌ１〜Ｑ５Ｌｎ    スイッチング素子
Ｄｉ５１，Ｄｉ５２，Ｄｉ６１，Ｄｉ６２    ダイオード
Ｌ５１，Ｌ６１    インダクタ
Ｒ５５，Ｒ５６    抵抗
Ｃ５１，Ｃ５５，Ｃ５６，Ｃ６１    コンデンサ
Ｅ５９    電源
Ｐ５９    節点
【図１】
2012102029.tif 000003
【図２】
2012102029.tif 000004
【図３】
2012102029.tif 000005
【図４】
2012102029.tif 000006
【図５】
2012102029.tif 000007
【図６】
2012102029.tif 000008
【図７】
2012102029.tif 000009
【図８】
2012102029.tif 000010
【図９】
2012102029.tif 000011
【図１０】
2012102029.tif 000012
【図１１】
2012102029.tif 000013
【手続補正書】
【提出日】平成25年2月14日(2013.2.14)
【手続補正１】
【補正対象書類名】明細書
【補正対象項目名】００３２
【補正方法】変更
【補正の内容】
【００３２】
また、本発明は、走査電極および維持電極からなる表示電極対とデータ電極とを有する放電セルを複数備えたパネルと、書込み期間と、維持期間と、所定の負の電圧に向かって下降する下り傾斜波形電圧を走査電極に印加する消去期間とを有する複数のサブフィールドで１フィールドを構成してパネルを駆動する駆動回路とを備えたプラズマディスプレイ装置である。このプラズマディスプレイ装置の駆動回路は、消去期間において、下り傾斜波形電圧を走査電極に印加する前に、走査電極をハイインピーダンス状態にするとともに、維持電極に高電位から低電位に変化する電圧波形を印加することで走査電極の電位を低下させ、低下した後の電位を下り傾斜波形電圧の開始電圧とする。
【手続補正２】
【補正対象書類名】明細書
【補正対象項目名】００３４
【補正方法】変更
【補正の内容】
【００３４】
また、本発明は、走査電極および維持電極からなる表示電極対とデータ電極とを有する放電セルを複数備えたパネルと、書込み期間と、維持期間と、所定の負の電圧に向かって下降する下り傾斜波形電圧を走査電極に印加する消去期間とを有する複数のサブフィールドで１フィールドを構成してパネルを駆動する駆動回路とを備えたプラズマディスプレイ装置である。このプラズマディスプレイ装置の駆動回路は、消去期間において、下り傾斜波形電圧を走査電極に印加する前に、走査電極をハイインピーダンス状態にするとともに、データ電極に高電位から低電位に変化する電圧波形を印加することで走査電極の電位を低下させ、低下した後の電位を下り傾斜波形電圧の開始電圧とする。
【手続補正３】
【補正対象書類名】明細書
【補正対象項目名】００６７
【補正方法】変更
【補正の内容】
【００６７】
なお、本実施の形態では、１フィールドをサブフィールドＳＦ１からサブフィールドＳＦ１０までの１０のサブフィールドで構成し、サブフィールドＳＦ１からサブフィールドＳＦ１０までの各サブフィールドにはそれぞれ（１、２、３、６、１１、１８、３０、４４、６０、８０）の階調重みを設定する例を説明する。そして、サブフィールドＳＦ１を強制初期化サブフィールドとし、サブフィールドＳＦ２からサブフィールドＳＦ１０を選択初期化サブフィールドとする。
【手続補正４】
【補正対象書類名】明細書
【補正対象項目名】００６８
【補正方法】変更
【補正の内容】
【００６８】
しかし、本発明は１フィールドを構成するサブフィールドの数、強制初期化動作の発生頻度、各サブフィールドが有する階調重み等が上述した数値に限定されるものではない。また、画像信号等にもとづいてサブフィールド構成を切り換える構成であってもよい。
【手続補正５】
【補正対象書類名】明細書
【補正対象項目名】０１０８
【補正方法】変更
【補正の内容】
【０１０８】
上述の電圧波形が、直前のサブフィールドの書込み期間で書込み動作を行った放電セルで選択的に初期化放電を発生する選択初期化波形である。そして、選択初期化波形を走査電極１２に印加する動作が選択初期化動作である。
【手続補正６】
【補正対象書類名】特許請求の範囲
【補正対象項目名】請求項７
【補正方法】変更
【補正の内容】
【請求項７】
走査電極および維持電極からなる表示電極対とデータ電極とを有する放電セルを複数備えたプラズマディスプレイパネルと、
書込み期間と、維持期間と、所定の負の電圧に向かって下降する下り傾斜波形電圧を前記走査電極に印加する消去期間とを有する複数のサブフィールドで１フィールドを構成して前記プラズマディスプレイパネルを駆動する駆動回路とを備えたプラズマディスプレイ装置であって、
前記駆動回路は、
前記消去期間において、
前記下り傾斜波形電圧を前記走査電極に印加する前に、前記走査電極をハイインピーダンス状態にするとともに、前記維持電極に高電位から低電位に変化する電圧波形を印加することで前記走査電極の電位を低下させ、
前記低下した後の電位を前記下り傾斜波形電圧の開始電圧とする
ことを特徴とするプラズマディスプレイ装置。
【手続補正７】
【補正対象書類名】特許請求の範囲
【補正対象項目名】請求項８
【補正方法】変更
【補正の内容】
【請求項８】
走査電極および維持電極からなる表示電極対とデータ電極とを有する放電セルを複数備えたプラズマディスプレイパネルと、
書込み期間と、維持期間と、所定の負の電圧に向かって下降する下り傾斜波形電圧を前記走査電極に印加する消去期間とを有する複数のサブフィールドで１フィールドを構成して前記プラズマディスプレイパネルを駆動する駆動回路とを備えたプラズマディスプレイ装置であって、
前記駆動回路は、
前記消去期間において、
前記下り傾斜波形電圧を前記走査電極に印加する前に、前記走査電極をハイインピーダンス状態にするとともに、前記データ電極に高電位から低電位に変化する電圧波形を印加することで前記走査電極の電位を低下させ、
前記低下した後の電位を前記下り傾斜波形電圧の開始電圧とする
ことを特徴とするプラズマディスプレイ装置。
【国際調査報告】
2012102029.tif 000014
2012102029.tif 000015
2012102029.tif 000016
2012102029.tif 000017